(57)【要約】【課題】  複数の面を組み合わせたデジタルサイネージにおいて、投影装置と他の装置との連動によりサイネージの視覚効果を向上させる。【解決手段】  画像投影システムであって、所定領域に含まれる複数の面の位置及び大きさに応じて、１の画像を複数の分割画像に分割する分割手段と、前記複数の面それぞれに対応する投影装置を介して、前記複数の分割画像を、前記複数の面に対応する投影面それぞれに投影するよう制御する制御手段と、を有し、前記制御手段は、前記複数の面と対応する他の装置の動作を、前記複数の分割画像を投影する時刻に基づいて制御することを特徴とする。【選択図】図３
2018036479.tif 000002
【特許請求の範囲】
【請求項１】
所定領域に含まれる複数の面の位置及び大きさに応じて、１の画像を複数の分割画像に分割する分割手段と、
前記複数の面それぞれに対応する投影装置を介して、前記複数の分割画像を、前記複数の面に対応する投影面それぞれに投影するよう制御する制御手段と、を有し、
前記制御手段は、
前記複数の面と対応する他の装置の動作を、前記複数の分割画像を投影する時刻に基づいて制御することを特徴とする画像投影システム。
【請求項２】
前記制御手段は、
前記複数の分割画像の投影を開始する投影開始時刻と、前記他の装置の投影開始の際の動作にかかる所要時間とに応じたタイミングで、前記他の装置に対して、投影開始の際の動作を指示することを特徴とする請求項１に記載の画像投影システム。
【請求項３】
前記複数の面それぞれに対応する位置に配置された前記他の装置それぞれの投影開始の際の動作の順序を指定する第１の指定手段を更に有し、
前記制御手段は、
前記第１の指定手段により指定された順序で、前記他の装置それぞれに対して、投影開始の際の動作を指示することを特徴とする請求項２に記載の画像投影システム。
【請求項４】
前記投影開始時刻を登録する第１の登録手段を更に有し、
前記制御手段は、
前記投影開始時刻と、前記投影装置の投影開始の際の動作にかかる所要時間とに応じたタイミングで、前記投影装置に対して、投影開始の際の動作を指示することを特徴とする請求項２に記載の画像投影システム。
【請求項５】
前記制御手段は、
前記複数の分割画像の投影を終了する投影終了時刻と、前記他の装置の投影終了の際の動作にかかる所要時間とに応じたタイミングで、前記他の装置に対して、投影終了の際の動作を指示することを特徴とする請求項１に記載の画像投影システム。
【請求項６】
前記複数の面それぞれに対応する位置に配置された前記他の装置それぞれの投影終了の際の動作の順序を指定する第２の指定手段を更に有し、
前記制御手段は、
前記第２の指定手段により指定された順序で、前記他の装置それぞれに対して、投影終了の際の動作を指示することを特徴とする請求項５に記載の画像投影システム。
【請求項７】
前記投影終了時刻を登録する第２の登録手段を更に有し、
前記制御手段は、
前記投影終了時刻と、前記投影装置の投影終了の際の動作にかかる所要時間とに応じたタイミングで、前記投影装置に対して、投影終了の際の動作を指示することを特徴とする請求項５に記載の画像投影システム。
【請求項８】
所定領域に含まれる複数の面の位置及び大きさに応じて、１の画像を複数の分割画像に分割する分割手段と、
前記複数の面それぞれに対応する投影装置を介して、前記複数の分割画像を、前記複数の面に対応する投影面それぞれに投影するよう制御する制御手段と、を有し、
前記制御手段は、
前記複数の面と対応する他の装置の動作を、前記複数の分割画像を投影する時刻に基づいて制御することを特徴とする情報処理装置。
【請求項９】
所定領域に含まれる複数の面の位置及び大きさに応じて、１の画像を複数の分割画像に分割する分割工程と、
前記複数の面それぞれに対応する投影装置を介して、前記複数の分割画像を、前記複数の面に対応する投影面それぞれに投影するよう制御する制御工程と、を有し、
前記制御工程は、
前記複数の面と対応する他の装置の動作を、前記複数の分割画像を投影する時刻に基づいて制御することを特徴とする画像投影方法。
【請求項１０】
所定領域に含まれる複数の面の位置及び大きさに応じて、１の画像を複数の分割画像に分割する分割工程と、
前記複数の面それぞれに対応する投影装置を介して、前記複数の分割画像を、前記複数の面に対応する投影面それぞれに投影するよう制御する制御工程と、をコンピュータに実行させるためのプログラムであって、
前記制御工程は、
前記複数の面と対応する他の装置の動作を、前記複数の分割画像を投影する時刻に基づいて制御することを特徴とするプログラム。
【発明の詳細な説明】
【技術分野】
【０００１】
本発明は、画像投影システム、情報処理装置、画像投影方法及びプログラムに関する。
【背景技術】
【０００２】
近年、プロジェクタなどの画像投影装置に動画像等のコンテンツを配信し、屋外や店頭、公共空間等に設置された大画面に、当該コンテンツを投影するデジタルサイネージが広く利用されている。デジタルサイネージの場合、時間や場所に適したコンテンツをリアルタイムに投影できるため、高い広告効果が期待できる。
【発明の概要】
【発明が解決しようとする課題】
【０００３】
一方で、上記のような画像投影装置を用いた大規模なデジタルサイネージを実現するためには、投影対象として一定程度の大きさの平坦面が必要となる。このため、画像投影装置を用いたデジタルサイネージの場合、予め大画面を設置しておくか、建物の側壁面等のように、一体的な平面を利用して投影を行う必要があり、適用可能な場所に限りがあるという問題がある。
【０００４】
これに対して、例えば、建物（特に中高層ビル）の窓ガラス（光透過面）のような、所定領域に含まれる複数の面を組み合わせて利用することで、１つのデジタルサイネージを実現することができれば、デジタルサイネージの適用範囲を広げることができる。
【０００５】
更に、建物に設置されている電飾装置や電動スクリーン等のように、窓ガラスに関わる光量を調整可能な他の装置と連動させることができれば、視覚効果の高いデジタルサイネージを実現することができる。
【０００６】
本発明は、上記課題に鑑みてなされたものであり、複数の面を組み合わせたデジタルサイネージにおいて、投影装置と他の装置との連動によりサイネージの視覚効果を向上させることを目的とする。
【課題を解決するための手段】
【０００７】
本発明の各実施形態に係る画像投影システムは、以下のような構成を有する。即ち、
所定領域に含まれる複数の面の位置及び大きさに応じて、１の画像を複数の分割画像に分割する分割手段と、
前記複数の面それぞれに対応する投影装置を介して、前記複数の分割画像を、前記複数の面に対応する投影面それぞれに投影するよう制御する制御手段と、を有し、
前記制御手段は、
前記複数の面と対応する他の装置の動作を、前記複数の分割画像を投影する時刻に基づいて制御することを特徴とする。
【発明の効果】
【０００８】
本発明の各実施形態によれば、複数の面を組み合わせたデジタルサイネージにおいて、投影装置と他の装置との連動によりサイネージの視覚効果を向上させることができる。
【図面の簡単な説明】
【０００９】
【図１】画像投影システムの適用例を示す図である。
【図２】建物の各窓ガラスに対応する位置に配置された各サイネージ装置の動作を説明するための図である。
【図３】画像投影システムのシステム構成の一例を示す図である。
【図４】情報処理装置のハードウェア構成の一例を示す図である。
【図５】サイネージ対象情報の一例を示す図である。
【図６】画像情報の一例を示す図である。
【図７】スケジュール情報の一例を示す図である。
【図８】サイネージ処理の流れを示すフローチャートである。
【図９】情報処理装置の校正部の機能構成を示す図である。
【図１０】第１の校正処理のシーケンス図である。
【図１１】第１の校正処理時に表示される情報処理装置の画面の一例を示す図である。
【図１２】第１の校正処理時に投影される校正パターン画像の一例を示す図である。
【図１３】第１の校正処理時に投影される校正パターン画像の他の一例を示す図である。
【図１４】第２の校正処理のシーケンス図である。
【図１５】第２の校正処理時に投影される白画像の一例を示す図である。
【図１６】情報処理装置の画像処理部の機能構成を示す図である。
【図１７】画像処理の具体例を示す図である。
【図１８】画像処理の流れを示すフローチャートである。
【図１９】第１分割処理の流れを示すフローチャートである。
【図２０】第１分割処理の一例を示す図である。
【図２１】情報処理装置のサイネージ制御部の機能構成を示す図である。
【図２２】サイネージ制御処理の流れを示すフローチャートである。
【図２３】スケジュール登録処理時に表示される情報処理装置の画面の一例を示す図である。
【図２４】制御情報設定処理時に表示される情報処理装置の画面の一例を示す図である。
【図２５】切り替え順の具体例を示す図である。
【図２６】所要時間情報の一例及び投影開始時に各サイネージ装置に対して行う動作の指示の指示タイミングを示す図である。
【図２７】開始制御処理の流れを示すフローチャートである。
【図２８】所要時間情報の一例及び投影終了時に各サイネージ装置に対して行う動作の指示の指示タイミングを示す図である。
【図２９】終了制御処理の流れを示すフローチャートである。
【図３０】所要時間情報の一例及び投影終了時に各サイネージ装置に対して行う動作の指示の指示タイミングを示す他の図である。
【発明を実施するための形態】
【００１０】
以下、各実施形態の詳細について添付の図面を参照しながら説明する。なお、各実施形態に係る明細書及び図面の記載に際して、実質的に同一の機能構成を有する構成要素については、同一の符号を付することにより重複した説明を省く。
【００１１】
［第１の実施形態］
＜１．画像投影システムの適用例＞
はじめに、第１の実施形態に係る画像投影システムの適用例について説明する。図１は、画像投影システムの適用例を示す図である。図１の例は、中層のビルである建物１１０の外面に取り付けられた複数の窓ガラス（光透過面）を組み合わせて利用することで、大規模なデジタルサイネージを実現した様子を示している。
【００１２】
図１に示すように、建物１１０の道路側の外面には、複数の窓ガラス（窓ガラス群１２０）が取り付けられている（図１の例では、３０枚の窓ガラス）。第１の実施形態に係る画像投影システムでは、建物１１０の外面に取り付けられた複数の窓ガラス（窓ガラス群１２０）それぞれに対して、内側から投影用動画像群１３０に含まれる各投影用動画像を投影する。
【００１３】
これにより、第１の実施形態に係る画像投影システムによれば、窓ガラス３０枚分の領域からなる、大規模なデジタルサイネージ（図１の例は、巨大なツリーが表示されたシーンを示している）を実現することができる。また、道路側の外面等のように比較的目立つ場所において、デジタルサイネージを実現することができる。つまり、広告効果の高いデジタルサイネージを実現することができる。
【００１４】
また、第１の実施形態に係る画像投影システムによれば、従来のように、予め設置されている大画面や、窓ガラスのない建物の側壁面等を利用するデジタルサイネージと比較して、デジタルサイネージの適用範囲を広げることができる。
【００１５】
更に、第１の実施形態に係る画像投影システムでは、窓ガラスに既に設置されている電飾装置群１４０や電動スクリーン等のように、建物１１０の外部から視認される光量や光の色等を変化させることが可能な他の装置の動作もあわせて制御する。これにより、第１の実施形態に係る画像投影システムによれば、投影用動画像群１３０の投影に応じて当該他の装置（電飾装置群１４０や電動スクリーン等）を連動させることが可能となり、デジタルサイネージの視覚効果を向上させることができる。
【００１６】
なお、他の装置は、電飾装置群１４０や電動スクリーンに限定されない。他の装置は、例えば、建物１１０の内部の照明装置や、建物１１０の外部から建物１１０の壁面や看板等を照らす照明装置、あるいは、窓ガラスに配置された電動のブラインド等、光透過面に関わる光量を調整（増減あるいは明滅）できる装置であればよい。
【００１７】
例えば、建物１１０の内部の照明装置を暗く（消灯）することで、窓ガラスを外部から視認すると、投影面が暗くなり、視認性をより向上させることができる。また、建物１１０の外部から壁面や看板等を照らす照明を暗く（消灯）することで、窓ガラス周囲の明るさを暗くすることができ、窓ガラスに対応する電動スクリーンに投影された投影用動画像の視認性をより向上させることができる。
【００１８】
このように、窓ガラスを含む光透過面に関わる光量（あるいは視認性）に影響を与える装置を制御することができれば、より視認性の高いデジタルサイネージを実現することができる。また、既に建物１１０に設置されているサイネージ用の装置（看板・オブジェ等）の動作と、投影用動画像群１３０の投影とを連動させるように構成してもよい。
【００１９】
＜２．サイネージ装置の動作＞
次に、第１の実施形態に係る画像投影システムを構成する各サイネージ装置（本実施形態では、プロジェクタ（投影装置）、電動スクリーン（投影面）、電飾装置を指すものとする）の動作について説明する。
【００２０】
図２は、建物の各窓ガラスに対応する位置に配置された各サイネージ装置の動作を説明するための図である。図２（Ａ）の（ａ）〜（ｄ）は、建物１１０の各窓ガラスの内側に配置された各サイネージ装置のうち、プロジェクタ及び電動スクリーンの動作を示している。
【００２１】
図２（Ａ）の（ａ）に示すように、建物１１０の各窓ガラスの内側には、プロジェクタが上下に配置されており、１枚の窓ガラスに対して、２台のプロジェクタ（上側プロジェクタ及び下側プロジェクタ）を用いて投影用動画像が投影される。これにより、窓ガラスのサイズが大きい場合でも適切な投影用動画像を投影することができる。
【００２２】
また、図２（Ａ）の（ｂ）に示すように、建物１１０の各窓ガラスの内側には、電動スクリーンが配置されている。プロジェクタを用いて投影用動画像を投影するにあたっては、電動スクリーンをＯＮ状態にすることで光透過度を変化させ、各窓ガラスを半透明の状態にする。なお、電動スクリーン（投影面）は、窓ガラス（投影対象）とともに光透過面を形成する。
【００２３】
図２（Ａ）の（ｃ）は、電動スクリーンをＯＮ状態にした後に、上側プロジェクタ及び下側プロジェクタのランプをＯＮ状態にした様子を示している。上側プロジェクタは、窓ガラスの上側を投影範囲とし、下側プロジェクタは、窓ガラスの下側を投影範囲としている。なお、上側プロジェクタ及び下側プロジェクタは、それぞれ、投影範囲の一部が重複するように調整されている。つまり、本実施形態では、２台のプロジェクタにより、窓ガラスの大きさに応じた投影範囲への投影用動画像の投影を実現している。
【００２４】
図２（Ａ）の（ｄ）は、上側プロジェクタ及び下側プロジェクタにより、投影用動画像が投影された様子を示している。本実施形態に係る画像投影システムでは、窓ガラス群１２０に含まれる各窓ガラスそれぞれに対応する各電動スクリーンそれぞれに投影用動画像が投影されることで、全体として、１つのデジタルサイネージを実現する。このため、各窓ガラスに対応する各電動スクリーンに対しては、元の動画像（広告主が提供する動画像）の一部の領域の動画像に基づいて生成された投影用動画像が上下に分割されて、２台のプロジェクタにより投影されることになる。
【００２５】
なお、図２（Ｂ）に示すように、第１の実施形態に係る画像投影システムでは、投影用動画像群１３０の投影が終了した状態で、電飾装置群１４０（電飾装置１４０＿１〜１４０＿６）がＯＮ状態になり、かつ電動スクリーンがＯＦＦ状態になるように制御する。
【００２６】
つまり、第１の実施形態に係る画像投影システムでは、上側プロジェクタ、下側プロジェクタ、電動スクリーン及び電飾装置群１４０が互いに連動して動作する。
【００２７】
＜３．画像投影システムのシステム構成＞
次に、第１の実施形態に係る画像投影システムのシステム構成について説明する。図３は、画像投影システムのシステム構成の一例を示す図である。図３に示すように、画像投影システム３００は、プロジェクタ３１０＿１ａ〜３１０＿３０ｂ、外部メモリ３２０＿１ａ〜３２０＿３０ｂ、電動スクリーン３３０＿１〜３３０＿３０、制御装置３４０、電飾装置１４０＿１〜１４０＿６を有する。また、画像投影システム３００は、時刻サーバ３６０、情報処理装置３７０、撮像装置３８１、色彩輝度計３８２を有する。
【００２８】
なお、プロジェクタ３１０＿１ａ〜３１０＿３０ｂ、制御装置３４０及び時刻サーバ３６０と、情報処理装置３７０とは、ネットワーク３９０を介して接続されている。
【００２９】
プロジェクタ３１０＿１ａ〜３１０＿３０ｂは、建物１１０の外面の所定領域に取り付けられた窓ガラス群１２０それぞれの内側において、上下に配置される。上述したとおり、建物１１０の外面の所定領域には、３０枚の窓ガラスが取り付けられているため、本実施形態では、６０台のプロジェクタが配置される。
【００３０】
プロジェクタ３１０＿１ａ〜３１０＿３０ｂは、それぞれ、投影対象となる窓ガラスの大きさに応じた投影範囲に、投影用動画像が歪みなく投影されるよう、校正パターン画像を用いて第１の校正処理を実行する。また、プロジェクタ３１０＿１ａ〜３１０＿３０ｂは、それぞれ、投影対象となる窓ガラスに対して、所定の色味で投影用動画像が投影されるよう、白画像を用いて第２の校正処理を実行する。
【００３１】
また、プロジェクタ３１０＿１ａ〜３１０＿３０ｂは、情報処理装置３７０からの投影開始指示に基づいて、外部メモリ３２０＿１ａ〜３２０＿３０ｂにそれぞれ格納された投影用動画像の中から、指定された投影用動画像を読み出す。更に、プロジェクタ３１０＿１ａ〜３１０＿３０ｂは、それぞれが読み出した投影用動画像を投影対象となる窓ガラスに対応する電動スクリーンに投影する。
【００３２】
外部メモリ３２０＿１ａ〜３２０＿３０ｂは、プロジェクタ３１０＿１ａ〜３１０＿３０ｂそれぞれに接続される。外部メモリ３２０＿１ａ〜３２０＿３０ｂは、プロジェクタ３１０＿１ａ〜３１０＿３０ｂそれぞれにより投影される投影用動画像を格納する。なお、ここでいう外部メモリ３２０＿１ａ〜３２０＿３０ｂには、例えば、ＵＳＢ（Universal Serial Bus）メモリ等が含まれる。
【００３３】
電動スクリーン３３０＿１〜３３０＿３０は、建物１１０の外面の所定領域に含まれる窓ガラス群１２０それぞれの内側に配置される。上述したとおり、建物１１０の外面の所定領域には、３０枚の窓ガラスが取り付けられているため、本実施形態では３０台の電動スクリーンが配置される。
【００３４】
電動スクリーン３３０＿１〜３３０＿３０は、電源ケーブルを介して制御装置３４０と接続され、制御装置３４０により、個別にＯＮ状態とＯＦＦ状態とが制御される。電動スクリーン３３０＿１〜３３０＿３０は、制御装置３４０によりＯＮ状態に制御されると、光透過面は光透過度が下がり、半透明の状態になる。一方、電動スクリーン３３０＿１〜３３０＿３０は、制御装置３４０によりＯＦＦ状態に制御されると、光透過面は光透過度が上がり、透明の状態になる。
【００３５】
制御装置３４０は、情報処理装置３７０からのスクリーンＯＮ指示に基づいて、電動スクリーン３３０＿１〜３３０＿３０をＯＮ状態にする。また、制御装置３４０は、情報処理装置３７０からのスクリーンＯＦＦ指示に基づいて、電動スクリーン３３０＿１〜３３０＿３０をＯＦＦ状態にする。
【００３６】
更に、制御装置３４０は、情報処理装置３７０からの電飾ＯＮ指示に基づいて、電飾装置１４０＿１〜１４０＿６をＯＮ状態にする。また、制御装置３４０は、情報処理装置３７０からの電飾ＯＦＦ指示に基づいて、電飾装置１４０＿１〜１４０＿６をＯＦＦ状態にする。
【００３７】
電飾装置１４０＿１〜１４０＿６は、電源ケーブルを介して制御装置３４０と接続され、制御装置３４０により、ＯＮ状態とＯＦＦ状態とが制御される。
【００３８】
時刻サーバ３６０は、プロジェクタ３１０＿１ａ〜３１０＿３０ｂと、情報処理装置３７０との間で、時刻を同期させるために、情報処理装置３７０に時刻情報を提供する。
【００３９】
情報処理装置３７０は、画像投影システム３００におけるサイネージ処理を制御するための装置である。情報処理装置３７０には、校正プログラム、画像処理プログラム、サイネージ制御プログラムがインストールされている。情報処理装置３７０は、これらのプログラムを実行することで、校正部３７１、画像処理部３７２、サイネージ制御部３７３として機能する。
【００４０】
校正部３７１は、プロジェクタ３１０＿１ａ〜３１０＿３０ｂとともに、第１の校正処理及び第２の校正処理を実行する。また、校正部３７１は、第１の校正処理を実行することで、プロジェクタ３１０＿１ａ〜３１０＿３０ｂによりそれぞれ投影される投影用動画像の生成の際に用いる補正パラメータを算出する。
【００４１】
更に、校正部３７１は、プロジェクタ３１０＿１ａ〜３１０＿３０ｂとともに、第２の校正処理を実行することで、プロジェクタ３１０＿１ａ〜３１０＿３０ｂに設定するＲＧＢレベルを算出する。
【００４２】
画像処理部３７２は、分割手段の一例である。画像処理部３７２は、サイネージ対象情報管理部３７５に格納されたサイネージ対象情報と、画像情報管理部３７６に格納された画像情報とを読み出し、広告主から提供された元の動画像から投影用動画像を生成する。サイネージ対象とは、画像投影システム３００を用いて大規模なデジタルサイネージが実現される建物１１０を指す。また、サイネージ対象情報は、建物１１０の外面の所定領域に含まれる窓ガラス群１２０の各窓ガラスの位置、大きさ等の情報を含む。更に、画像情報は、投影用動画像の生成の際に用いられる各種画像や補正パラメータ等を管理するための情報を含む。
【００４３】
なお、画像処理部３７２は、投影用動画像の生成に際して、校正部３７１により算出された補正パラメータを用いる。
【００４４】
また、画像処理部３７２は、投影用動画像を生成する過程で生成した、分割静止画像（詳細は後述）を画像情報管理部３７６に格納する。更に、画像処理部３７２は、生成した投影用動画像群の各投影用動画像を、プロジェクタ３１０＿１ａ〜３１０＿３０ｂそれぞれに送信する。これにより、プロジェクタ３１０＿１ａ〜３１０＿３０ｂは、外部メモリ３２０＿１ａ〜３２０＿３０ｂそれぞれに各投影用動画像を格納する。
【００４５】
サイネージ制御部３７３は、制御手段の一例である。サイネージ制御部３７３は、スケジュール情報管理部３７７に格納されたスケジュール情報に基づいて、サイネージ制御処理を行う。例えば、サイネージ制御部３７３は、投影開始時刻に応じて、プロジェクタ３１０＿１ａ〜３１０＿３０ｂそれぞれに、投影開始指示を送信する。また、サイネージ制御部３７３は、投影開始時刻に応じて、電動スクリーン３３０＿１〜３３０＿３０にスクリーンＯＮ指示を送信する。更に、サイネージ制御部３７３は、投影開始時刻に応じて、電飾装置１４０＿１〜１４０＿６に電飾ＯＦＦ指示を送信する。
【００４６】
撮像装置３８１は、プロジェクタ３１０＿１ａ〜３１０＿３０ｂそれぞれが第１の校正処理を実行する際に、プロジェクタ３１０＿１ａ〜３１０＿３０ｂそれぞれが投影した校正パターン画像を撮影し、情報処理装置３７０に送信する。なお、撮像装置３８１と、情報処理装置３７０とは、例えば、ＵＳＢケーブルを介して接続される。
【００４７】
色彩輝度計３８２は、プロジェクタ３１０＿１ａ〜３１０＿３０ｂそれぞれが第２の校正処理を実行する際に、プロジェクタ３１０＿１ａ〜３１０＿３０ｂそれぞれが投影した白画像について、色温度を測定し、測定結果を情報処理装置３７０に送信する。なお、色彩輝度計３８２と、情報処理装置３７０とは、例えば、ＵＳＢケーブルを介して接続される。
【００４８】
＜４．情報処理装置のハードウェア構成＞
次に、情報処理装置３７０のハードウェア構成について説明する。図４は、情報処理装置のハードウェア構成の一例を示す図である。
【００４９】
図４に示すように、情報処理装置３７０は、ＣＰＵ（Central Processing Unit）４０１、ＲＯＭ（Read Only Memory）４０２、ＲＡＭ（Random Access Memory）４０３を備える。ＣＰＵ４０１、ＲＯＭ４０２、ＲＡＭ４０３は、いわゆるコンピュータを形成する。更に、情報処理装置３７０は、補助記憶部４０４、表示部４０５、入力部４０６、ネットワークＩ／Ｆ（Interface）部４０７、ＵＳＢＩ／Ｆ部４０８を備える。なお、情報処理装置３７０の各ハードウェアは、バス４０９を介して相互に接続されている。
【００５０】
ＣＰＵ４０１は、補助記憶部４０４に格納された各種プログラム（例えば、校正プログラム、画像処理プログラム、サイネージ制御プログラム等）を実行するデバイスである。
【００５１】
ＲＯＭ４０２は不揮発性の主記憶デバイスである。ＲＯＭ４０２は、補助記憶部４０４に格納された各種プログラムを、ＣＰＵ４０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００５２】
ＲＡＭ４０３は、ＤＲＡＭ（Dynamic Random Access Memory）やＳＲＡＭ（Static Random Access Memory）等の揮発性の主記憶デバイスである。ＲＡＭ４０３は、補助記憶部４０４に格納された各種プログラムがＣＰＵ４０１によって実行される際に展開される、作業領域を提供する。
【００５３】
補助記憶部４０４は、ＣＰＵ４０１により実行される各種プログラムや各種プログラムが実行される際に用いられる各種情報を格納する補助記憶デバイスである。補助記憶部４０４に格納される各種情報には、サイネージ対象情報、画像情報、スケジュール情報及び画像情報により管理される各種情報、補正パラメータ等が含まれる。なお、サイネージ対象情報管理部３７５、画像情報管理部３７６、スケジュール情報管理部３７７は、補助記憶部４０４により実現される。
【００５４】
表示部４０５は、各種画面を表示する表示デバイスである。入力部４０６は、情報処理装置３７０に各種情報を入力するための入力デバイスである。ネットワークＩ／Ｆ部４０７は、ネットワーク３９０と接続するためのインタフェースデバイスである。情報処理装置３７０は、プロジェクタ３１０＿１ａ〜３１０＿３０ｂ、制御装置３４０、時刻サーバ３６０との間の通信を、ネットワークＩ／Ｆ部４０７を介して行う。
【００５５】
ＵＳＢＩ／Ｆ部４０８は、ＵＳＢケーブルを接続するためのインタフェースデバイスである。情報処理装置３７０は、撮像装置３８１、色彩輝度計３８２との間のデータの送受信を、ＵＳＢＩ／Ｆ部４０８を介して行う。
【００５６】
＜５．各管理部に格納される情報＞
次に、情報処理装置３７０の各管理部（サイネージ対象情報管理部３７５、画像情報管理部３７６、スケジュール情報管理部３７７）に格納される各種情報（サイネージ対象情報、画像情報、スケジュール情報）について説明する。
【００５７】
（１）サイネージ対象情報
はじめに、サイネージ対象情報管理部３７５に格納されるサイネージ対象情報について説明する。図５は、サイネージ対象情報の一例を示す図である。図５（ａ）に示すように、サイネージ対象情報５００は、サイネージ対象ごとに生成される。本実施形態では、建物１１０のサイネージ対象ＩＤを、"Ｓ００１"としている。
【００５８】
また、図５（ａ）に示すように、サイネージ対象情報５００には、情報の項目として、"フロア"、"窓ＩＤ"、"窓情報"、"プロジェクタＩＤ"、"電動スクリーンＩＤ"、"電飾装置ＩＤ"が含まれる。
【００５９】
"フロア"には、建物１１０の外面の所定領域に含まれる窓ガラス群１２０が取り付けられたフロアのフロア番号が格納される。
【００６０】
"窓ＩＤ"には、建物１１０の外面の所定領域に含まれる窓ガラス群１２０の各窓ガラスを識別するための識別子が格納される。
【００６１】
"窓情報"には、更に、"位置"、"横サイズ"、"縦サイズ"が含まれる。ここで、図５（ｂ）を参照しながら、"窓情報"に含まれる各窓ガラスの"位置"、"横サイズ"、"縦サイズ"について説明する。
【００６２】
図５（ｂ）に示すように、画像投影システム３００は、建物１１０の外面の所定領域５１０を利用して、大規模なデジタルサイネージを実現する。このとき、画像投影システム３００では、所定領域５１０に含まれる各窓ガラスのレイアウトを特定する際に基準となる点（原点）と、基準となる軸（ｘ軸、ｙ軸）とを規定する。
【００６３】
図５（ｂ）において、点５２０は、所定領域５１０における原点を示している。また、軸５３０は、所定領域５１０において点５２０を原点とした場合のｘ軸を示しており、軸５４０は、所定領域５１０において点５２０を原点とした場合のｙ軸を示している。
【００６４】
図５（ｂ）に示すように、所定領域５１０、原点５２０、ｘ軸５３０、ｙ軸５４０を規定することで、各窓ガラスのレイアウト（位置、横サイズ、縦サイズ）を一意に特定することができる。
【００６５】
図５（ａ）の説明に戻る。"位置"には、建物１１０の外面の所定領域５１０において、各窓ガラスの左下の角の位置を示す座標が格納される。図５（ａ）の場合、窓ＩＤ＝"Ｗ２０１"の窓ガラスの左下の角の位置の座標は、原点（０，０）である。
【００６６】
"横サイズ"には、各窓ガラスの横方向の長さ（幅）が格納される。例えば、窓ＩＤ＝"Ｗ２０１"の窓ガラスの場合、左下の角の位置の座標が（０，０）であり、右下の角の位置の座標が（ｘ１２，０）である。したがって、横サイズ＝"ｘ１２"となる。また、窓ＩＤ＝"Ｗ２０２"の窓ガラスの場合、左下の角の位置の座標が（ｘ２１，０）であり、右下の角の位置の座標が（ｘ２２，０）である。したがって、横サイズ＝"ｘ２２−ｘ２１"となる。
【００６７】
"縦サイズ"には、各窓ガラスの縦方向の長さ（高さ）が格納される。例えば、窓ＩＤ＝"Ｗ２０１"の窓ガラスの場合、左下の角の位置の座標が（０，０）であり、左上の角の位置の座標が（０，ｙ１２）である。したがって、縦サイズ＝"ｙ１２"となる。また、窓ＩＤ＝"Ｗ３０１"の窓ガラスの場合、左下の角の位置の座標が（０，ｙ２１）であり、左上の角の位置の座標が（０，ｙ２２）である。したがって、縦サイズ＝"ｙ２２−ｙ２１"となる。
【００６８】
"プロジェクタＩＤ"には、各窓ガラスに対応する位置に配置されたプロジェクタを識別するための識別子が格納される。図５（ａ）の例は、窓ＩＤ＝"Ｗ２０１"により識別される窓ガラスに対応する位置には、プロジェクタＩＤ＝"ＰＪ２０１Ａ"、"ＰＪ２０１Ｂ"により識別されるプロジェクタがそれぞれ配置されていることを示している。
【００６９】
"電動スクリーンＩＤ"には、各窓ガラスに対応する位置に配置された電動スクリーンを識別するための識別子が格納される。図５（ａ）の例は、窓ＩＤ＝"Ｗ２０１"により識別される窓ガラスに対応する位置には、電動スクリーンＩＤ＝"ＳＣ２０１"により識別される電動スクリーンが配置されていることを示している。
【００７０】
"電飾装置ＩＤ"には、各フロアのいずれかの窓ガラスに対応する位置に配置された電飾装置を識別するための識別子が格納される。図５（ａ）の例は、フロア＝"２Ｆ"により識別されるフロアには、電飾装置ＩＤ＝"Ｅ２００"により識別される電飾装置が配置されていることを示している。
【００７１】
（２）画像情報
次に、画像情報管理部３７６に格納される画像情報について説明する。図６は、画像情報の一例を示す図である。図６に示すように、画像情報６００には、情報の項目として、"動画像ＩＤ"、"サイネージ対象ＩＤ"、"窓ＩＤ"、"プロジェクタＩＤ"が含まれる。また、画像情報６００には、情報の項目として、"補正パラメータＩＤ"、"算出日時"、"分割静止画像群ＩＤ"、"投影用動画像ＩＤ"、"生成日時"が含まれる。
【００７２】
"動画像ＩＤ"には、広告主から提供される元の動画像を識別するための識別子が格納される。図６の例は、動画像ＩＤとして"Ｃ１００"により識別される動画像が、画像情報管理部３７６に格納されていることを示している。
【００７３】
"サイネージ対象ＩＤ"には、広告主から提供される元の動画像に基づいて生成された投影用動画像群１３０を用いて大規模デジタルサイネージを実現する建物１１０を識別するための識別子が格納される。図６の例は、動画像ＩＤ＝"Ｃ１００"により識別される動画像に基づいて生成された投影用動画像群１３０を用いて、サイネージ対象ＩＤ＝"Ｓ００１"により識別される建物１１０において、大規模デジタルサイネージが実現されることを示している。
【００７４】
"窓ＩＤ"には、サイネージ対象ＩＤ＝"Ｓ００１"により識別される建物１１０の外面の所定領域５１０に含まれる窓ガラス群１２０の各窓ガラスを識別するための識別子が格納される。
【００７５】
"プロジェクタＩＤ"には、窓ＩＤにより識別される各窓ガラスに対応する位置に配置されたプロジェクタを識別するための識別子が格納される。
【００７６】
"補正パラメータＩＤ"には、校正部３７１により算出された補正パラメータを識別するための識別子が格納される。上述したとおり、第１の校正処理が実行されることで、校正部３７１では、窓ガラスごとに補正パラメータを算出するため、補正パラメータＩＤは、窓ＩＤと対応付けて格納される。"算出日時"には、補正パラメータが算出された日時が格納される。
【００７７】
"分割静止画像群ＩＤ"には、動画像ＩＤ＝"Ｃ１００"により識別される動画像に基づいて、投影用動画像群を生成する過程で生成された、分割静止画像群を識別するための識別子が格納される。
【００７８】
"投影用動画像ＩＤ"には、動画像ＩＤ＝"Ｃ１００"により識別される動画像に基づいて生成された、投影用動画像群に含まれる各投影用動画像を識別するための識別子が格納される。
【００７９】
"生成日時"には、投影用動画像ＩＤにより識別される各投影用動画像が生成された日時が格納される。
【００８０】
図６の例は、動画像ＩＤ＝"Ｃ１００"の動画像から、投影用動画像ＩＤ＝"Ｍ２０１Ａ"、"Ｍ２０１Ｂ"、・・・が生成されたことを示している。
【００８１】
また、図６の例によれば、投影用動画像ＩＤ＝"Ｍ２０１Ａ"の投影用動画像は、窓ＩＤ＝"Ｗ２０１"の窓ガラスに対応する位置に配置されたプロジェクタＩＤ＝"ＰＪ２０１Ａ"のプロジェクタにより投影される。
【００８２】
また、図６の例によれば、投影用動画像ＩＤ＝"Ｍ２０１Ａ"の投影用動画像の生成に際しては、"２０１６年５月２５日"に補正パラメータ（補正パラメータＩＤ＝"Ｐ２０１"）が算出されている。
【００８３】
また、図６の例によれば、当該補正パラメータ（補正パラメータＩＤ＝"Ｐ２０１"）により、分割静止画像群ＩＤ＝"Ｃ２０１"の分割静止画像群が補正されている。更に、図６の例によれば、補正された分割静止画像群ＩＤ＝"Ｃ２０１"の分割静止画像群に基づいて、"２０１６年６月１０日"に、投影用動画像ＩＤ＝"Ｍ２０１Ａ"及び"Ｍ２０１Ｂ"の投影用動画像がそれぞれ生成されている。
【００８４】
（３）スケジュール情報
次に、スケジュール情報管理部３７７に格納されるスケジュール情報について説明する。図７は、スケジュール情報の一例を示す図である。図７に示すように、スケジュール情報７００は、サイネージ対象ごと、曜日ごとに生成される。また、図７に示すように、スケジュール情報７００には、情報の項目として、"時刻"、"サイネージ装置"が含まれる。
【００８５】
"時刻"には、サイネージ対象ＩＤ＝"Ｓ００１"により識別される建物１１０の窓ガラス群１２０を、曜日＝"土曜日"に、デジタルサイネージとして利用することができる時間帯が記載される。図７の例によれば、１０時００分から２２時００分までの間の時間帯において、デジタルサイネージとして利用することが可能である。
【００８６】
"サイネージ装置"には、更に、"プロジェクタ"、"電動スクリーン"、"電飾装置"が含まれる。"プロジェクタ"には、プロジェクタ３１０＿ａ〜３１０＿３０ｂにより投影用動画像が投影される時間帯が記載される。図７の例によれば、２０時００分から２１時００分の間に、動画像ＩＤ＝"Ｃ１００"〜"Ｃ１０５"に基づいてそれぞれ生成された投影用動画像群が投影される。
【００８７】
"電動スクリーン"には、電動スクリーン３３０＿１〜３３０＿３０がＯＮ状態になる時間帯が記載される。電動スクリーン３３０＿１〜３３０＿３０がＯＮ状態になる時間帯は、プロジェクタ３１０＿１ａ〜３１０＿３０ｂにより投影用動画像群が投影される時間帯（２０時００分〜２１時００分）と同じ時間帯となる。
【００８８】
"電飾装置"には、電飾装置１４０＿１〜１４０＿６がＯＮ状態になる時間帯が記載される。本実施形態において、電飾装置１４０＿１〜１４０＿６は、夕方以降（図７の例では、１６時３０分以降）の時間帯においてＯＮ状態になる。ただし、プロジェクタ３１０＿１ａ〜３１０＿３０ｂにより投影用動画像が投影される時間帯（２０時００分から２１時００分の間）は除かれる。
【００８９】
なお、プロジェクタ３１０＿１ａ〜３１０＿３０ｂによる投影用動画像の投影開始時及び投影終了時の各サイネージ装置の詳細動作については開始制御情報及び終了制御情報として、別途、規定されている。
【００９０】
テーブル７１０は、投影開始時及び投影終了時の各サイネージ装置の詳細動作を規定する、開始制御情報及び終了制御情報の設定項目を示したものである。テーブル７１０に示すように、開始制御情報及び終了制御情報の設定項目には、"サイネージ装置の種類"、"動作"、"切り替え順（フロア単位）"、"制御方式（フロア単位）"が含まれる。更に、開始制御情報及び終了制御情報の設定項目には、"切り替え順（窓単位）"、"制御方式（窓単位）"、"制御間隔（窓単位）"が含まれる。
【００９１】
テーブル７１０に示す各設定項目に設定される設定内容、各設定内容が設定された場合の各サイネージ装置の詳細動作については後述する。
【００９２】
＜６．画像投影システムにおけるサイネージ処理の流れ＞
次に、画像投影システム３００におけるサイネージ処理の流れについて説明する。図８は、サイネージ処理の流れを示すフローチャートである。建物１１０において、画像投影システム３００の設置が完了することで、画像投影システム３００では、図８に示すサイネージ処理を実行する。
【００９３】
具体的には、ステップＳ８０１において、画像投影システム３００は、プロジェクタ３１０＿１ａ〜３１０＿３０ｂの校正処理（第１の校正処理及び第２の校正処理等）を行う。
【００９４】
ステップＳ８０２において、画像投影システム３００は、画像処理（投影用動画像（"Ｍ２０１Ａ"〜"Ｍ７０５Ｂ"）の生成及び各プロジェクタ３１０＿１ａ〜３１０＿３０ｂへの投影用動画像の送信等）を行う。
【００９５】
ステップＳ８０３において、画像投影システム３００は、サイネージ制御処理を行う。具体的には、画像投影システム３００は、プロジェクタ３１０＿１ａ〜３１０＿３０ｂによる投影用動画像群の投影開始／終了制御、電動スクリーン３３０＿１〜３３０＿３０のＯＮ／ＯＦＦ制御、電飾装置１４０＿１〜１４０＿６のＯＮ／ＯＦＦ制御を行う。
【００９６】
＜７．校正処理の詳細＞
次に、画像投影システム３００における校正処理（ステップＳ８０１）の詳細について説明する。
【００９７】
（１）校正部の機能構成
はじめに、校正処理を実行する、情報処理装置３７０の校正部３７１の機能構成について説明する。図９は、情報処理装置の校正部の機能構成を示す図である。
【００９８】
図９に示すように校正部３７１は、第１校正部９１１及び第２校正部９１２を有する。第１校正部９１１は、第１の校正処理時に起動し、各種処理を実行する。具体的には、第１校正部９１１は、画像処理部３７２が投影用動画像を生成する際に用いる補正パラメータを算出する。また、第１校正部９１１は、算出した補正パラメータを画像情報管理部３７６に格納するとともに、算出した補正パラメータを示す補正パラメータＩＤ及び算出日時を、窓ＩＤと対応付けて画像情報６００に格納する。これにより、画像処理部３７２では、プロジェクタ３１０＿１ａ〜３１０＿３０ｂにより投影された際に歪みのない投影用動画像を生成することができる。
【００９９】
第２校正部９１２は、第２の校正処理時に起動し、各種処理を実行する。具体的には、第２校正部９１２は、投影用動画像が所定の色味で投影されるよう、ＲＧＢレベルを算出し、プロジェクタ３１０＿１ａ〜３１０＿３０ｂに対して設定する。
【０１００】
（２）第１の校正処理の流れ
次に、第１の校正処理の詳細について、図１１〜図１３を逐次参照しながら、図１０のシーケンス図に基づいて説明する。図１０は、第１の校正処理のシーケンス図である。
【０１０１】
図１０に示すように、ステップＳ１００１において、操作者１０００は、情報処理装置３７０に対して、第１校正部９１１を起動させるための起動指示を入力する。
【０１０２】
操作者１０００により起動指示が入力されたことに応じて、ステップＳ１００２では、第１校正部９１１が起動し、情報処理装置３７０の表示部４０５には、第１の校正処理を実行する対象（プロジェクタ）を操作者１０００が選択するための選択画面が表示される。
【０１０３】
ステップＳ１００３において、操作者１０００は、表示部４０５に表示された選択画面の中から、第１の校正処理を実行する対象が配置されている窓ガラスを選択する。
【０１０４】
操作者１０００により窓ガラスが選択されたことに応じて、第１校正部９１１は、選択された窓ガラスに対応する位置に配置されているプロジェクタを識別する。そして、ステップＳ１００４及びＳ１００５において、第１校正部９１１は、識別したプロジェクタそれぞれに対して、ランプＯＮ指示を送信する。
【０１０５】
図１１は、第１の校正処理時に表示される情報処理装置の画面の一例を示す図である。第１校正部９１１が起動すると、情報処理装置３７０の表示部４０５には、選択画面１１００が表示される。図１１に示すように、選択画面１１００には、建物１１０の窓ガラス群１２０のレイアウト１１１０が含まれる。
【０１０６】
操作者１０００は、レイアウト１１１０内の窓ガラスを示す矩形ボタンを押圧し、完了ボタン１１２０を押圧することで、第１の校正処理を実行する対象が配置されている窓ガラスを選択する。図１１の例は、矩形ボタン１１１１が押圧され、完了ボタン１１２０が押圧された様子を示している。
【０１０７】
矩形ボタン１１１１により特定される窓ガラスは、窓ＩＤ＝"Ｗ７０３"の窓ガラス１１２８である。図１１の下側に示すとおり、窓ガラス１１２８に対応する位置には、プロジェクタ３１０＿２８ａ（プロジェクタＩＤ＝"ＰＪ７０３Ａ"）とプロジェクタ３１０＿２８ｂ（プロジェクタＩＤ＝"ＰＪ７０３Ｂ"）とが配置されている。
【０１０８】
したがって、ステップＳ１００４において、第１校正部９１１は、プロジェクタ３１０＿２８ａにランプＯＮ指示を送信する。また、ステップＳ１００５において、第１校正部９１１は、プロジェクタ３１０＿２８ｂにランプＯＮ指示を送信する。なお、この時点で、窓ガラス１１２８の電動スクリーン３３０＿２８（電動スクリーンＩＤ＝"ＳＣ７０３"）はＯＮ状態になっているものとする。
【０１０９】
続いて、ステップＳ１００６において、第１校正部９１１は、校正パターン画像を生成する。第１校正部９１１は、校正パターン画像として、２つの異なる校正パターン画像を生成する。
【０１１０】
ステップＳ１００７において、第１校正部９１１は、プロジェクタ３１０＿２８ａに対して、第１の校正パターン画像を送信する。また、ステップＳ１００８において、第１校正部９１１は、プロジェクタ３１０＿２８ｂに対して、第２の校正パターン画像を送信する。
【０１１１】
ステップＳ１００９において、プロジェクタ３１０＿２８ａは、第１校正部９１１より送信された第１の校正パターン画像を投影する。また、ステップＳ１０１０において、プロジェクタ３１０＿２８ｂは、第１校正部９１１より送信された第２の校正パターン画像を投影する。
【０１１２】
ステップＳ１０１１において、操作者１０００は、投影された第１及び第２の校正パターン画像を撮像装置３８１を用いて撮影するために、撮像装置３８１に撮影指示を入力する。
【０１１３】
ステップＳ１０１２において、撮像装置３８１は、投影された第１及び第２の校正パターン画像について撮影処理を実行し、ステップＳ１０１３において、撮像装置３８１は撮影結果を情報処理装置３７０に送信する。
【０１１４】
図１２は、第１の校正処理時に投影される校正パターン画像の一例を示す図である。図１２に示すように、プロジェクタ３１０＿２８ａは、第１の校正パターン画像を投影し、プロジェクタ３１０＿２８ｂは、第２の校正パターン画像を投影する。操作者１０００は、投影された第１及び第２の校正パターン画像を撮像装置３８１を用いて撮影することで、撮影結果を情報処理装置３７０に送信する。
【０１１５】
図１０の説明に戻る。ステップＳ１０１４において、操作者１０００は、第１の校正パターン画像と第２の校正パターン画像を入れ替えるための入れ替え指示を入力する。
【０１１６】
ステップＳ１０１５において、第１校正部９１１は、入れ替え指示に応じて、プロジェクタ３１０＿２８ａに第２の校正パターン画像を送信する。また、ステップＳ１０１６において、第１校正部９１１は、プロジェクタ３１０＿２８ｂに第１の校正パターン画像を送信する。
【０１１７】
ステップＳ１０１７において、プロジェクタ３１０＿２８ａは、第１校正部９１１より送信された第２の校正パターン画像を投影する。また、ステップＳ１０１８において、プロジェクタ３１０＿２８ｂは、第１校正部９１１より送信された第１の校正パターン画像を投影する。
【０１１８】
ステップＳ１０１９において、操作者１０００は、投影された第２及び第１の校正パターン画像を撮像装置３８１を用いて撮影するために、撮像装置３８１に撮影指示を入力する。
【０１１９】
ステップＳ１０２０において、撮像装置３８１は、投影された第２及び第１の校正パターン画像について撮影処理を実行し、ステップＳ１０２１において、撮像装置３８１は、撮影結果を情報処理装置３７０に送信する。
【０１２０】
図１３は、第１の校正処理時に投影される校正パターン画像の他の一例を示す図である。図１３に示すように、プロジェクタ３１０＿２８ａは、第２の校正パターン画像を投影し、プロジェクタ３１０＿２８ｂは、第１の校正パターン画像を投影する。操作者１０００は、投影された第２及び第１の校正パターン画像を撮像装置３８１を用いて撮影することで、撮影結果を情報処理装置３７０に送信する。
【０１２１】
再び、図１０の説明に戻る。ステップＳ１０２２において、操作者１０００は、第１校正部９１１に対して、補正パラメータの算出に用いる撮影結果を指定するための入力を行う。ステップＳ１０２３において、第１校正部９１１は、操作者１０００により指定された撮影結果を読み出す。
【０１２２】
ステップＳ１０２４において、操作者１０００は、補正パラメータの算出を指示するための入力を行う。ステップＳ１０２５において、第１校正部９１１は、読み出した撮影結果に基づいて、補正パラメータを算出する。
【０１２３】
なお、第１校正部９１１において算出される補正パラメータには、第１及び第２の校正パターン画像に対して位置合わせ補正、スケール合わせ補正、歪み補正等の各種幾何学的な補正を行うための幾何学パラメータが含まれる。この幾何学パラメータは、例えば、電動スクリーンや投影装置の設置位置、投影装置の光学機器の個体差等の種々の要因によって変動する。このため、幾何学パラメータは、窓ガラス（電動スクリーンと投影装置との組み合わせ）ごとに異なる場合が多い。後述する画像処理部３７２では、窓ガラスごとに適切な幾何学パラメータを用いて補正を行うことで、図１のように投影した投影用動画像群１３０のうちの一部の投影用動画像が歪んで表示される、といった不具合が発生するのを回避する。
【０１２４】
第１校正部９１１は、算出した補正パラメータを画像情報管理部３７６に格納する。また、第１校正部９１１は、補正パラメータＩＤ（例えば、"Ｐ７０３"）及び、算出日時（例えば、"２０１６．５．２５"）を、窓ＩＤ（例えば、"Ｗ７０３"）と対応付けて画像情報６００に格納する。
【０１２５】
（３）第２の校正処理の流れ
次に、第２の校正処理の詳細について、図１５を参照しながら、図１４のシーケンス図に基づいて説明する。図１４は、第２の校正処理のシーケンス図である。
【０１２６】
図１４に示すように、ステップＳ１４０１において、操作者１０００は、情報処理装置３７０に対して、第２校正部９１２を起動させるための起動指示を入力する。
【０１２７】
操作者１０００により起動指示が入力されたことに応じて、ステップＳ１４０２では、第２校正部９１２が起動し、情報処理装置３７０の表示部４０５には、第２の校正処理を実行する対象（プロジェクタ）を操作者１０００が選択するための選択画面が表示される。
【０１２８】
ステップＳ１４０３において、操作者１０００は、表示部４０５に表示された選択画面の中から、第２の校正処理を実行する対象が配置されている窓ガラスを選択する。
【０１２９】
操作者１０００により窓ガラスが選択されたことに応じて、第２校正部９１２は、選択された窓ガラスに対応する位置に配置されている電動スクリーンを識別する。そして、ステップＳ１４０４において第２校正部９１２は、識別した電動スクリーンに対して、スクリーンＯＦＦ指示を送信する。
【０１３０】
なお、図１４の例は、第１の校正処理同様、窓ＩＤ＝"Ｗ７０３"の窓ガラス１１２８が選択され、対応する電動スクリーン３３０＿２８に対して、スクリーンＯＦＦ指示が送信された場合を示している。
【０１３１】
第２校正部９１２よりスクリーンＯＦＦ指示が送信されたことに応じて、ステップＳ１４０５では、電動スクリーン３３０＿２８がＯＦＦ状態になる。
【０１３２】
ステップＳ１４０６において、第２校正部９１２は、窓ＩＤ＝"Ｗ７０３"の窓ガラス１１２８に対応する位置に配置されたプロジェクタ３１０＿２８ａ（プロジェクタＩＤ＝"ＰＪ７０３Ａ"）に対して、ランプＯＮ指示を送信する。これにより、プロジェクタｎ'３１０＿２８ａのランプがＯＮ状態になる。
【０１３３】
ステップＳ１４０７において、操作者１０００は、情報処理装置３７０に対して、プロジェクタ３１０＿２８ａに白画像を投影するための投影指示を入力する。
【０１３４】
ステップＳ１４０８において、第２校正部９１２は、操作者１０００による白画像投影指示に応じて、プロジェクタ３１０＿２８ａに対して、白画像投影指示を送信する。
【０１３５】
ステップＳ１４０９において、プロジェクタ３１０＿２８ａは、第２校正部９１２より送信された白画像投影指示に応じて、全白投影を行う。
【０１３６】
ステップＳ１４１０において、操作者１０００は、プロジェクタ３１０＿２８ａにより全白投影された窓ガラスの色温度を測定するための測定指示を、色彩輝度計３８２に対して入力する。
【０１３７】
ステップＳ１４１１において、色彩輝度計３８２は、全白投影された窓ガラス１１２８の色温度を測定する。ステップＳ１４１２において、操作者１０００は、測定した色温度を測定結果として情報処理装置３７０に入力する。
【０１３８】
ステップＳ１４１３において、第２校正部９１２は、操作者１０００により入力された色温度を、ＲＧＢレベルに変換する変換処理を行う。
【０１３９】
ステップＳ１４１４において、第２校正部９１２は、変換処理を行うことで算出したＲＧＢレベルを、プロジェクタ３１０＿２８ａに送信する。
【０１４０】
ステップＳ１４１５において、プロジェクタ３１０＿２８ａは、第２校正部９１２より送信されたＲＧＢレベルを設定する。
【０１４１】
図１５は、第２の校正処理時に投影される白画像の一例を示す図である。図１５に示すように、電動スクリーン３３０＿２８がＯＦＦ状態において、プロジェクタ３１０＿２８ａは、白画像を窓ガラス１１２８に投影する。また、操作者１０００は、色彩輝度計３８２を用いて窓ガラス１１２８の色温度を測定し、測定結果を情報処理装置３７０に入力する。これにより、情報処理装置３７０では、ＲＧＢレベルが算出され、プロジェクタ３１０＿２８ａには、測定結果に応じたＲＧＢレベルが設定される。
【０１４２】
図１４の説明に戻る。ステップＳ１４１６において、操作者１０００は、情報処理装置３７０に対して、第２の校正処理の終了指示を入力する。ステップＳ１４１７において、第２校正部９１２は、操作者１０００により終了指示が入力されたことに応じて、電動スクリーン３３０＿２８に対して、スクリーンＯＮ指示を送信する。
【０１４３】
第２校正部９１２よりスクリーンＯＮ指示が送信されたことに応じて、ステップＳ１４１８では、電動スクリーン３３０＿２８がＯＮ状態になる。
【０１４４】
＜８．画像処理の詳細＞
次に、画像投影システム３００における画像処理（ステップＳ８０２）の詳細について説明する。
【０１４５】
（１）画像処理部の機能構成
はじめに、画像処理を実行する、情報処理装置３７０の画像処理部３７２の機能構成について説明する。図１６は、情報処理装置の画像処理部の機能構成を示す図である。
【０１４６】
図１６に示すように画像処理部３７２は、対象情報取得部１６１１、画像情報取得部１６１２、反転部１６１３、デコード部１６１４を有する。また、画像処理部３７２は、第１分割部１６１５、補正部１６１６、第２分割部１６１７、エンコード部１６１８、送信部１６１９を有する。
【０１４７】
対象情報取得部１６１１は、サイネージ対象情報管理部３７５より、サイネージ対象情報を読み出し、第１分割部１６１５に通知する。
【０１４８】
画像情報取得部１６１２は、画像情報管理部３７６より、広告主から提供された動画像を読み出し、反転部１６１３に通知する。
【０１４９】
反転部１６１３は、画像情報取得部１６１２より通知された動画像の左右を反転させる。画像投影システム３００では、透明または半透明の光透過面（窓ガラス及び電動スクリーン）に対して内側から投影し、投影結果が、外側から視認される。このため、予め左右を反転しておく必要がある。このように、反転部１６１３が反転処理を行うことで、広告主が意図した動画像とは左右が反転した動画像が視認される、といった事態を回避することができる。反転部１６１３は、反転後の動画像をデコード部１６１４に通知する。
【０１５０】
デコード部１６１４は、左右が判定された動画像をデコード処理し、フレーム単位に分解することで、静止画像群を抽出する。デコード部１６１４は、抽出した静止画像群に含まれる各静止画像を、順次、第１分割部１６１５に通知する。
【０１５１】
第１分割部１６１５は、デコード部１６１４から順次通知される各静止画像について、対象情報取得部１６１１から通知されたサイネージ対象情報５００に基づいて、複数の静止画像に分割する第１分割処理を行う。これにより、第１分割部１６１５は、窓ガラスの位置及び窓ガラスのサイズに応じた分割静止画像（分割画像）を生成することができる。
【０１５２】
また、第１分割部１６１５は、静止画像群に含まれる全ての静止画像に対して第１分割処理を行うことで取得した複数の分割静止画像について、同じ窓ガラスの分割静止画像ごとにわけることで、窓ガラスの数分の複数の分割静止画像群を生成する。第１分割部１６１５は、生成した複数の分割静止画像群を、画像情報管理部３７６に格納する。
【０１５３】
また、第１分割部１６１５は、生成した複数の分割静止画像群それぞれに、分割静止画像群ＩＤを付し、窓ＩＤと対応付けて画像情報６００に格納する。
【０１５４】
さらに、第１分割部１６１５は、生成した複数の分割静止画像群それぞれを、窓ＩＤと対応付けて補正部１６１６に通知する。
【０１５５】
補正部１６１６は、第１分割部１６１５より通知された複数の分割静止画像群それぞれを、窓ＩＤに応じた補正パラメータを用いて補正する。また、補正部１６１６は、補正後の複数の分割静止画像群を第２分割部１６１７に通知する。
【０１５６】
第２分割部１６１７は、補正部１６１６より通知された、補正後の複数の分割静止画像群それぞれを、プロジェクタ単位に分割する。補正部１６１６により通知された、補正後の複数の分割静止画像群は、それぞれ窓ガラス単位で生成されているため、第２分割部１６１７では、プロジェクタ単位に分割する。
【０１５７】
エンコード部１６１８は、プロジェクタ単位に分割された補正後の複数の分割静止画像群を、プロジェクタ単位でエンコード処理し、プロジェクタの数分の複数の投影用動画像を生成する。エンコード部１６１８は、生成した複数の投影用動画像を識別するための投影用動画像ＩＤと生成日時とを、プロジェクタＩＤと対応付けて画像情報６００に格納する。
【０１５８】
送信部１６１９は、エンコード部１６１８により生成された複数の投影用動画像を、対応するプロジェクタにそれぞれ送信する。なお、送信部１６１９が投影用動画像を、対応するプロジェクタに事前に送信しておくことで、サイネージ制御部３７３では、投影開始時に、プロジェクタに対して投影開始指示を送信すれば足りることになる。これにより、プロジェクタに対して投影開始時に投影用動画像を送信する構成とした場合と比較して、投影用動画像の投影に際して遅延が生じる可能性を低減させることができる。
【０１５９】
（２）画像処理の具体例
次に、画像処理部３７２による画像処理の具体例について説明する。図１７は、画像処理の具体例を示す図である。
【０１６０】
図１７において、動画像１７１０は、広告主から提供された動画像ＩＤ＝"Ｃ１００"の動画像であり、ＭＰＥＧ４形式で画像情報管理部３７６に格納されている。画像情報取得部１６１２が、動画像１７１０を読み出し、反転部１６１３に通知すると、反転部１６１３は、動画像１７１０の左右を反転させ、反転後の動画像１７１１を生成する。
【０１６１】
反転後の動画像１７１１は、デコード部１６１４によりデコード処理され、複数の静止画像からなる静止画像群として抽出される。更に、抽出された静止画像群に対しては、第１分割部１６１５が、サイネージ対象情報５００に基づく第１分割処理を行い、複数の分割静止画像群を生成する。
【０１６２】
なお、複数の分割静止画像群（分割静止画像群１７２０＿１、１７２０＿２、・・・１７２０＿３０）には、それぞれ、分割静止画像群ＩＤ（Ｃ２０１、Ｃ２０２、・・・Ｃ７０５）が付され、窓ＩＤと対応付けて画像情報６００に格納される。
【０１６３】
また、複数の分割静止画像群１７２０＿１、１７２０＿２、・・・１７２０＿３０に対しては、補正部１６１６が、それぞれ、対応する補正パラメータを用いて補正を行う。例えば、補正部１６１６は、分割静止画像群１７２０＿１を、補正パラメータ１７３０＿１（補正パラメータＩＤ＝"Ｐ２０１"）を用いて補正する。また、補正部１６１６は、分割静止画像群１７２０＿２を、補正パラメータ１７３０＿２（補正パラメータＩＤ＝"Ｐ２０２"）を用いて補正する。更に、補正部１６１６は、分割静止画像群１７２０＿３０を、補正パラメータ１７３０＿３０（補正パラメータＩＤ＝"Ｐ７０５"）を用いて補正する。
【０１６４】
補正パラメータにより補正された補正後の分割静止画像群１７２０＿１、１７２０＿２、・・・１７２０＿３０は、それぞれ、第２分割部１６１７により、プロジェクタ単位に分割される。例えば、補正後の分割静止画像群１７２０＿１は、プロジェクタ３１０＿１ａ用の分割静止画像群１７４０＿１ａと、プロジェクタ３１０＿１ｂ用の分割静止画像群１７４０＿１ｂとに分割される。
【０１６５】
同様に、補正後の分割静止画像群１７２０＿３０は、プロジェクタ３１０＿３０ａ用の分割静止画像群１７４０＿３０ａと、プロジェクタ３１０＿３０ｂ用の分割静止画像群１７４０＿３０ｂとに分割される。
【０１６６】
第２分割部１６１７によりプロジェクタ単位に分割された補正後の分割静止画像群１７４０＿１ａ〜１７４０＿３０ｂに対しては、エンコード部１６１８がエンコード処理を行う。これにより、エンコード部１６１８は、ＭＰＥＧ４形式の投影用動画像を生成する。
【０１６７】
例えば、エンコード部１６１８は、プロジェクタ３１０＿１ａ用の分割静止画像群１７４０＿１ａをエンコード処理することで、投影用動画像１７５０＿１ａを生成する。また、エンコード部１６１８は、プロジェクタ３１０＿１ｂ用の分割静止画像群１７４０＿１ｂをエンコード処理することで、投影用動画像１７５０＿１ｂを生成する。更に、エンコード部１６１８は、プロジェクタ３１０＿３０ａ用の分割静止画像群１７４０＿３０ａ、プロジェクタ３１０＿３０ｂ用の分割静止画像群１７４０＿３０ｂをエンコード処理することで、投影用動画像１７５０＿３０ａ、１７５０＿３０ｂを生成する。
【０１６８】
エンコード部１６１８は、生成した複数の投影用動画像１７５０＿１ａ〜１７５０＿３０ｂを識別するための投影用動画像ＩＤ（Ｍ２０１Ａ、Ｍ２０１Ｂ、・・・Ｍ７０５Ａ、Ｍ７０５Ｂ）及び生成日時を、プロジェクタＩＤと対応付けて画像情報６００に格納する。
【０１６９】
また、送信部１６１９は、生成された複数の投影用動画像１７５０＿１ａ〜１７５０＿３０ｂを、対応するプロジェクタに送信する。例えば、送信部１６１９は、投影用動画像１７５０＿１ａを、プロジェクタ３１０＿１ａに送信する。また、投影用動画像１７５０＿１ｂを、プロジェクタ３１０＿１ｂに送信する。更に、送信部１６１９は、投影用動画像１７５０＿３０ａを、プロジェクタ３１０＿３０ａに、投影用動画像１７５０＿３０ｂを、プロジェクタ３１０＿３０ｂにそれぞれ送信する。
【０１７０】
（３）画像処理の流れ
次に、画像処理の流れについて、図１８のフローチャートに基づいて説明する。図１８は、画像処理の流れを示すフローチャートである。
【０１７１】
ステップＳ１８０１において、画像情報取得部１６１２は、画像情報管理部３７６より動画像を取得する。
【０１７２】
ステップＳ１８０２において、対象情報取得部１６１１は、サイネージ対象情報管理部３７５より、サイネージ対象情報５００を取得する。
【０１７３】
ステップＳ１８０３において、反転部１６１３は、ステップＳ１８０１において取得した動画像に対して、左右反転処理を行う。
【０１７４】
ステップＳ１８０４において、デコード部１６１４は、反転後の動画像をデコード処理することで、静止画像群を抽出する。
【０１７５】
ステップＳ１８０５において、第１分割部１６１５は、静止画像カウンタｎに１を代入する。
【０１７６】
ステップＳ１８０６において、第１分割部１６１５は、ｎ番目の静止画像に対して、第１分割処理を行う。なお、第１分割処理のフローチャートの詳細は、後述する。
【０１７７】
ステップＳ１８０７において、第１分割部１６１５は、全ての静止画像について第１分割処理を行ったか否かを判定する。ステップＳ１８０７において、第１分割処理を行っていない静止画像があると判定した場合には（ステップＳ１８０７においてＮｏの場合には）、ステップＳ１８０８に進む。ステップＳ１８０８において、第１分割部１６１５は、静止画像カウンタｎをインクリメントした後、ステップＳ１８０６に戻る。
【０１７８】
一方、ステップＳ１８０７において、全ての静止画像について第１分割処理を行ったと判定した場合には、ステップＳ１８０９に進む。
【０１７９】
ステップＳ１８０９において、第１分割部１６１５は、各静止画像について生成した複数の分割静止画像を、同じ窓ガラスに対応する分割静止画像ごとに分けることで、窓ガラス数分の分割静止画像群を生成し、画像情報管理部３７６に格納する。また、第１分割部１６１５は、生成した分割静止画像群ごとに分割静止画像群ＩＤを付し、窓ＩＤと対応付けて画像情報６００に格納する。
【０１８０】
ステップＳ１８１０において、補正部１６１６は、分割静止画像群カウンタｍに１を代入する。
【０１８１】
ステップＳ１８１１において、補正部１６１６は、ステップＳ１８０９において生成された分割静止画像群のうち、ｍ番目の分割静止画像群を、対応する補正パラメータを用いて補正する。
【０１８２】
ステップＳ１８１２において、第２分割部１６１７は、補正後のｍ番目の分割静止画像群について、第２分割処理を行う。
【０１８３】
ステップＳ１８１３において、第２分割部１６１７は、ステップＳ１８０９において生成された全ての分割静止画像群について、補正処理及び第２分割処理を行ったか否かを判定する。
【０１８４】
ステップＳ１８１３において、補正処理及び第２分割処理を行っていない分割静止画像群があると判定した場合には（ステップＳ１８１３においてＮｏの場合には）、ステップＳ１８１４に進む。
【０１８５】
ステップＳ１８１４において、補正部１６１６は、分割静止画像群カウンタｍをインクリメントし、ステップＳ１８１１に戻る。
【０１８６】
一方、ステップＳ１８１３において、全ての分割静止画像群について、補正処理及び第２分割処理を行ったと判定した場合には（ステップＳ１８１３においてＹｅｓの場合には）、ステップＳ１８１５に進む。
【０１８７】
ステップＳ１８１５において、エンコード部１６１８は、第２分割処理された分割静止画像群を、プロジェクタ単位でエンコード処理することで、プロジェクタの数分の複数の投影用動画像を生成する。また、エンコード部１６１８は、生成した複数の投影用動画像について、生成日時を画像情報６００に格納する。
【０１８８】
ステップＳ１８１６において、送信部１６１９は、生成された複数の投影用動画像を、対応するプロジェクタにそれぞれ送信する。
【０１８９】
（４）第１分割処理の詳細
次に、第１分割処理（ステップＳ１８０６）の詳細について図１９及び図２０を用いて説明する。図１９は、第１分割処理の流れを示すフローチャートである。また、図２０は、第１分割処理の一例を示す図である。
【０１９０】
ステップＳ１９０１において、第１分割部１６１５は、ｎ番目の静止画像を読み出す。図２０において、静止画像２０００は、第１分割部１６１５により読み出されたｎ番目の静止画像であるとする。
【０１９１】
ステップＳ１９０２において、第１分割部１６１５は、フロアカウンタｆに"２"を代入する。
【０１９２】
ステップＳ１９０３において、第１分割部１６１５は、１フロアあたりの窓ガラス数をカウントする窓カウンタｇに"１"を代入する。
【０１９３】
ステップＳ１９０４において、第１分割部１６１５は、サイネージ対象情報５００より、窓ＩＤ＝"Ｗｆ０ｇ"の"位置"、"横サイズ"、"縦サイズ"を読み出す。ここでは、ｆに"２"が代入され、ｇに"１"が代入されているため、窓ＩＤ＝"Ｗ２０１"の位置（（０，０））、横サイズ（ｘ１２）、縦サイズ（ｙ１２）が読み出される。
【０１９４】
ステップＳ１９０５において、第１分割部１６１５は、ステップＳ１９０４において読み出した位置、横サイズ、縦サイズを静止画像２０００上の画素に変換する。
【０１９５】
図２０に示すように、本実施形態において、静止画像２０００は、横４０００画素、縦８０００画素で構成されているものとする。この場合、位置＝"（０，０）"に対応する静止画像２０００上の画素は、位置＝"（０，０）"の画素となる。
【０１９６】
また、横サイズ（ｘ１２）に対応する静止画像２０００上の画素は、（ｘ１２／ｘ５２）×４０００により算出される画素となる。更に、縦サイズ（ｙ１２）に対応する静止画像２０００上の画素は、（ｙ１２／ｙ６２）×８０００により算出される画素となる。
【０１９７】
ステップＳ１９０６において、第１分割部１６１５は、ステップＳ１９０５において算出された画素に基づいて特定される矩形領域２００１を、静止画像２０００より切り出し、分割静止画像を生成する。
【０１９８】
ステップＳ１９０７において、第１分割部１６１５は、ｆフロアの全ての窓ガラスについて、第１分割処理を行ったか否かを判定する。ステップＳ１９０７において、第１分割処理を行っていない窓ガラスがあると判定した場合には（ステップＳ１９０７においてＮｏの場合には）、ステップＳ１９０８に進む。
【０１９９】
ステップＳ１９０８において、第１分割部１６１５は、窓カウンタｇをインクリメントした後、ステップＳ１９０４に戻る。これにより、ｇには"２"が代入されることになる。
【０２００】
ステップＳ１９０４において、第１分割部１６１５は、サイネージ対象情報５００より、窓ＩＤ＝"Ｗ２０２"の位置（（ｘ２１，０））、横サイズ（ｘ２２−ｘ２１）、縦サイズ（ｙ１２）を読み出す。
【０２０１】
ステップＳ１９０５において、第１分割部１６１５は、ステップＳ１９０４において読み出した位置、横サイズ、縦サイズを、静止画像２０００と所定領域５１０との対比に応じて、静止画像２０００上の画素に変換する。
【０２０２】
図２０に示すように、位置（（ｘ２１，０））に対応する静止画像２０００上の画素は、（ｘ２１／ｘ５２）×４０００により算出される画素となる。また、横サイズ（ｘ２２−ｘ２１）に対応する静止画像２０００上の画素は、（ｘ２２／ｘ５２）×４０００により算出される画素となる。更に、縦サイズ（ｙ１２）に対応する静止画像２０００上の画素は、（ｙ１２／ｙ６２）×８０００により算出される画素となる。
【０２０３】
ステップＳ１９０６において、第１分割部１６１５は、ステップＳ１９０５において算出された画素に基づいて特定される矩形領域２００２を、静止画像２０００より切り出し、分割静止画像を生成する。
【０２０４】
ステップＳ１９０７において、第１分割部１６１５は、ｆフロアの全ての窓ガラスについて、第１分割処理を行ったか否かを判定する。ステップＳ１９０７において、第１分割処理を行っていない窓ガラスがあると判定した場合には（ステップＳ１９０７においてＮｏの場合には）、ステップＳ１９０８に進む。以降、ステップＳ１９０６において、矩形領域２００５が切り出されるまで、ステップＳ１９０４〜Ｓ１９０６の処理が繰り返される。
【０２０５】
ステップＳ１９０７において、ｆフロアの全ての窓ガラスについて第１分割処理を行ったと判定した場合には（ステップＳ１９０７においてＹｅｓの場合には）、ステップＳ１９０９に進む。
【０２０６】
ステップＳ１９０９において、第１分割部１６１５は、全てのフロアについて第１分割処理を行ったか否かを判定する。ステップＳ１９０９において、第１分割処理を行っていないフロアがあると判定した場合には（ステップＳ１９０９においてＮｏの場合には）、ステップＳ１９１０に進む。
【０２０７】
ステップＳ１９１０において、第１分割部１６１５は、フロアカウンタｆをインクリメントした後、ステップＳ１９０３に戻る。以降、フロアカウンタｆ＝７において、矩形領域２０３０が切り出されるまで、ステップＳ１９０４〜Ｓ１９０７の処理が繰り返される。
【０２０８】
ステップＳ１９０９において、全てのフロアについて第１分割処理を行ったと判定した場合には（ステップＳ１９０９においてＹｅｓの場合には）、図１８のステップＳ１８０７に戻る。
【０２０９】
＜９．サイネージ制御処理の詳細＞
次に、画像投影システム３００におけるサイネージ制御処理（ステップＳ８０３）の詳細について説明する。
【０２１０】
（１）サイネージ制御部の機能構成
はじめに、サイネージ制御処理を実行する、情報処理装置３７０のサイネージ制御部３７３の機能構成について説明する。図２１は、情報処理装置のサイネージ制御部の機能構成を示す図である。
【０２１１】
図２１に示すようにサイネージ制御部３７３は、スケジュール登録部２１０１、制御情報設定部２１０２、同期部２１０３、開始制御部２１０４、終了制御部２１０５を有する。
【０２１２】
スケジュール登録部２１０１は、第１の登録手段及び第２の登録手段として機能し、スケジュール登録処理を実行する。具体的には、スケジュール登録部２１０１は、建物１１０において実現されるデジタルサイネージのスケジュールについて、操作者１０００より入力を受け付ける。また、スケジュール登録部２１０１は、入力されたスケジュールに基づいて、スケジュール情報（例えば、スケジュール情報７００）を生成し、スケジュール情報管理部３７７に格納する。
【０２１３】
制御情報設定部２１０２は、第１の指定手段及び第２の指定手段として機能し、制御情報設定処理を実行する。具体的には、制御情報設定部２１０２は、操作者１０００より、投影開始時及び投影終了時の各サイネージ装置の詳細動作の設定を受け付ける。また、制御情報設定部２１０２は、受け付けた詳細動作の設定に基づいて開始制御情報及び終了制御情報を生成し、スケジュール情報管理部３７７に、スケジュール情報と対応付けて格納する。
【０２１４】
同期部２１０３は、時刻情報を出力する。また、同期部２１０３は、プロジェクタ３１０＿１ａ〜３１０＿３０ｂと、情報処理装置３７０との間の時刻を同期させる。具体的には、時刻サーバ３６０より時刻情報を受信し、出力する時刻情報を修正したうえで、プロジェクタ３１０＿１ａ〜３１０＿３０ｂに対して、修正した時刻情報を送信する。プロジェクタ３１０＿１ａ〜３１０＿３０ｂは、同期部２１０３より時刻情報を受信すると、内部で管理している時刻情報を修正する。これにより、同期部２１０３は、プロジェクタ３１０＿１ａ〜３１０＿３０ｂと、情報処理装置３７０との間で、正確な時刻情報に基づいて時刻を同期させることができる。
【０２１５】
開始制御部２１０４は、スケジュール情報管理部３７７に格納されたスケジュール情報を読み出し、投影開始時刻を識別する。また、開始制御部２１０４は、スケジュール情報に対応付けられた開始制御情報と、各サイネージ装置の動作にかかる所要時間に関する情報とに基づいて、投影開始時の各サイネージ装置に対する動作の指示の指示タイミングを算出する。更に、開始制御部２１０４は、算出した指示タイミングで、各サイネージ装置に対して、投影開始時の動作の指示を送信する。これにより、サイネージ制御部３７３では、投影開始時に、各サイネージ装置について、各サイネージ装置の動作にかかる所要時間を考慮した制御を行うことが可能となり、投影開始時に視覚効果の高いデジタルサイネージを実現することができる。
【０２１６】
終了制御部２１０５は、スケジュール情報管理部３７７に格納されたスケジュール情報を読み出し、投影終了時刻を識別する。また、終了制御部２１０５は、スケジュール情報に対応付けられた終了制御情報と、各サイネージ装置の動作にかかる所要時間に関する情報とに基づいて、投影終了時の各サイネージ装置に対する動作の指示の指示タイミングを算出する。更に、終了制御部２１０５は、算出した指示タイミングで、各サイネージ装置に対して、投影終了時の動作の指示を送信する。これにより、サイネージ制御部３７３では、投影終了時に、各サイネージ装置について、各サイネージ装置の動作にかかる所要時間を考慮した制御を行うことが可能となり、投影終了時に視覚効果の高いデジタルサイネージを実現することができる。
【０２１７】
（２）サイネージ制御処理の流れ
次に、サイネージ制御部３７３によるサイネージ制御処理の流れについて説明する。図２２は、サイネージ制御処理の流れを示すフローチャートである。画像処理部３７２による画像処理が完了することで、図２２に示すサイネージ制御処理が実行可能となる。
【０２１８】
ステップＳ２２０１において、スケジュール登録部２１０１は、スケジュール登録処理を実行することでスケジュール情報を生成し、生成したスケジュール情報をスケジュール情報管理部３７７に格納する。
【０２１９】
ステップＳ２２０２において、制御情報設定部２１０２は、制御情報設定処理を実行することで、開始制御情報及び終了制御情報を生成し、生成した開始制御情報及び終了制御情報を、スケジュール情報と対応付けてスケジュール情報管理部３７７に格納する。
【０２２０】
ステップＳ２２０３において、同期部２１０３及び開始制御部２１０４は、開始制御処理を実行し、投影用動画像による投影を開始する。
【０２２１】
ステップＳ２２０４において、終了制御部２１０５は、終了制御処理を実行し、投影用動画像の投影を終了する。
【０２２２】
ステップＳ２２０５において、開始制御部２１０４は、スケジュール情報管理部３７７に格納されているスケジュール情報を参照し、全てのスケジュールを実行したか否かを判定する。ステップＳ２２０５において、実行していないスケジュールがあると判定した場合には（ステップＳ２２０５においてＮｏの場合には）、ステップＳ２２０３に戻る。
【０２２３】
一方、ステップＳ２２０５において、全てのスケジュールを実行したと判定した場合には（ステップＳ２２０５においてＹｅｓの場合には）、サイネージ制御処理を終了する。
【０２２４】
（３）スケジュール登録部によるスケジュール登録処理
次に、スケジュール登録部２１０１により実行されるスケジュール登録処理（ステップＳ２２０１）の詳細について説明する。図２３は、スケジュール登録処理時に表示される情報処理装置の画面の一例を示す図である。操作者１０００によりスケジュール登録部２１０１の起動指示が入力されることで、情報処理装置３７０の表示部４０５には、スケジュール登録画面２３００が表示される。
【０２２５】
図２３（ａ）に示すように、スケジュール登録画面２３００には、名前入力欄２３１０と、スケジュール入力欄２３２０と、制御情報設定欄２３３０と、プレイリスト欄２３４０とが含まれる。
【０２２６】
名前入力欄２３１０には、デジタルサイネージが実現されるサイネージ対象を識別するサイネージ対象ＩＤが入力される。図２３（ａ）の例は、建物１１０を示すサイネージ対象ＩＤ＝"Ｓ００１"が入力された場合を示している。
【０２２７】
スケジュール入力欄２３２０には、投影用動画像の投影開始時刻と、投影終了時刻とを入力する欄と、投影用動画像の投影を行う曜日とを選択する欄とが含まれる。図２３（ａ）の例は、毎週土曜日の２０時００分から２１時００分までの間、投影用動画像を投影する設定が入力されたことを示している。
【０２２８】
制御情報設定欄２３３０には、制御情報設定部２１０２を起動し、開始制御情報と終了制御情報とを生成する制御情報設定画面に遷移させるための遷移ボタンが含まれる。なお、制御情報設定画面の詳細は後述する。
【０２２９】
プレイリスト欄２３４０には、投影に用いる投影用動画像を選択するとともに、投影用動画像の投影方法が入力される。選択された投影用動画像は、投影用動画像リストに表示される。
【０２３０】
プレイリスト欄２３４０において、"ループ再生"とは、投影開始時刻から投影終了時刻までの間、選択された投影用動画像を繰り返し投影することを設定するための項目である。"ループ再生"をＯＮにした場合、投影開始時刻から投影終了時刻までの間、選択された投影用動画像が繰り返し投影されることになる。一方、"ループ再生"をＯＦＦにした場合、選択された投影用動画像は、それぞれ投影開始時に１回のみ投影されることになる。
【０２３１】
プレイリスト欄２３４０において、"先頭のコンテンツをオープニングコンテンツとして利用する"とは、"ループ再生"をＯＮにした状態で選択可能になる項目で、先頭の投影用動画像については、投影開始時に１回のみ投影することを設定するための項目である。当該項目をＯＮにすることで、先頭の投影用動画像以外の投影用動画像（図２３の例では、動画像Ｃ１０１．ｍｐ４〜動画像Ｃ１０５．ｍｐ４）は、投影開始時刻から投影終了時刻までの間、繰り返し投影されることになる。一方、先頭の投影用動画像（図２３の例では、動画像Ｃ１００．ｍｐ４）については、投影開始時に１回のみ投影されることになる。
【０２３２】
プレイリスト欄２３４０において、"最終のコンテンツをエンディングコンテンツとして利用する"とは、"ループ再生"をＯＮにした状態で選択可能になる項目で、最終の投影用動画像については、投影終了時に１回のみ投影することを設定するための項目である。当該項目をＯＮにすることで、最終の投影用動画像以外の投影用動画像（図２３の例では、動画像Ｃ１００．ｍｐ４〜動画像Ｃ１０４．ｍｐ４）は、投影開始時刻から投影終了時刻までの間、繰り返し投影されることになる。一方、最終の投影用動画像（図２３の例では、動画像Ｃ１０５．ｍｐ４）については、投影終了時に１回のみ投影されることになる。
【０２３３】
登録ボタン２３５０は、スケジュール登録画面２３００において入力されたスケジュール内容を、スケジュール情報７００として、スケジュール情報管理部３７７に格納するための指示ボタンである。
【０２３４】
図２３（ｂ）は、操作者１０００により登録ボタン２３５０が押圧されることで、スケジュール情報７００としてスケジュール情報管理部３７７に格納されたスケジュール内容（テキスト情報）の一例を示している。
【０２３５】
なお、図２３では、サイネージ装置のうちのプロジェクタについてのスケジュール登録画面を示したが、電動スクリーン及び電飾装置についても、同様のスケジュール登録画面に基づいて、スケジュール情報７００が登録可能である。
【０２３６】
（４）制御情報設定部による制御情報設定処理
次に、制御情報設定部２１０２により実行される制御情報設定処理（ステップＳ２２０２）の詳細について説明する。図２４は、制御情報設定処理時に表示される情報処理装置の画面の一例を示す図である。スケジュール登録画面２３００の制御情報設定欄２３３０において、操作者１０００により遷移ボタンが押圧されることで、制御情報設定部２１０２が起動する。これにより、情報処理装置３７０の表示部４０５には、図２４（ａ）に示す制御情報設定画面２４００が表示される。
【０２３７】
図２４（ａ）に示すように、制御情報設定画面２４００には、開始制御情報入力欄２４１０と終了制御情報入力欄２４２０とが含まれる。
【０２３８】
開始制御情報入力欄２４１０には、情報の項目として、"制御対象"、"動作内容"、"切り替え順（フロア単位）"が含まれる。"制御対象"には、投影開始時に制御される制御対象が設定される。なお、図２４（ａ）の"制御対象"において、「プロジェクタ」とは、プロジェクタ３１０＿１ａ〜３１０＿３０ｂのランプを指す。また、「電飾」とは、電飾装置１４０＿１〜１４０＿６を指す。また、「スクリーン」とは、電動スクリーン３３０＿１〜３３０＿３０を指す。更に、「投影」とは、プロジェクタ３１０＿１ａ〜３１０＿３０ｂによる投影用動画像の投影処理を指す。
【０２３９】
"動作内容"には、投影開始時の制御対象の動作内容が設定される。図２４（ａ）の例によれば、プロジェクタ３１０＿１ａ〜３１０＿３０ｂのランプは、投影開始時にＯＦＦ状態からＯＮ状態へと動作する。また、電飾装置１４０＿１〜１４０＿６は、投影開始時にＯＮ状態からＯＦＦ状態へと動作する。また、電動スクリーン３３０＿１〜３３０＿３０は、投影開始時にＯＦＦ状態からＯＮ状態へと動作する。更に、プロジェクタ３１０＿１ａ〜３１０＿３０ｂは、投影開始時に、投影用動画像リストに含まれる投影用動画像について投影処理を行う。
【０２４０】
"切り替え順"には、投影開始時の各制御対象の動作順序が設定される。"切り替え順"において、「ワイプ（↑）」とは、投影開始時に、制御対象が下のフロアから上のフロアに向かって、順次、"動作内容"に設定された動作を行っていくことを指す。また、"切り替え順"において、「ワイプ（↓）」とは、投影開始時に、制御対象が上のフロアから下のフロアに向かって、順次、"動作内容"に設定された動作を行っていくことを指す。
【０２４１】
図２５は、切り替え順の具体例を示す図である。図２５（ａ）は、"切り替え順"において、「ワイプ（↑）」が設定された場合の、"制御対象"の動作を示している。図２５（ａ）に示すように、「ワイプ（↑）」が設定された場合、はじめに、建物１１０の２Ｆに配置されたサイネージ装置についての制御対象が動作し、続いて、建物１１０の３Ｆに配置されたサイネージ装置についての制御対象が動作する。以降、順次、建物１１０の各フロアに配置されたサイネージ装置についての制御対象が動作していく。
【０２４２】
図２５（ｂ）は、"切り替え順"において、「ワイプ（↓）」が設定された場合の、"制御対象"の動作を示している。図２５（ｂ）に示すように、「ワイプ（↓）」が設定された場合、はじめに、建物１１０の７Ｆに配置されたサイネージ装置についての制御対象が動作し、続いて、建物１１０の６Ｆに配置されたサイネージ装置についての制御対象が動作する。以降、順次、建物１１０の各フロアに配置されたサイネージ装置についての制御対象が動作していく。
【０２４３】
図２５（ｃ）は、"切り替え順"において、「ワイプ（↑）」、「ワイプ（↓）」のいずれも設定されなかった場合の、制御対象の動作を示している。図２５（ｃ）に示すように、「ワイプ（↑）」、「ワイプ（↓）」のいずれも設定されなかった場合、建物１１０の全フロアに配置されたサイネージ装置についての制御対象が一斉に動作する。
【０２４４】
図２４の説明に戻る。図２４（ａ）に示すように、終了制御情報入力欄２４２０には、開始制御情報入力欄２４１０と同様の情報の項目が含まれ、同様の内容が設定される。
【０２４５】
登録ボタン２４４０は、制御情報設定画面２４００において設定された開始制御情報及び終了制御情報を、スケジュール情報７００と対応付けて、スケジュール情報管理部３７７に格納するための指示ボタンである。
【０２４６】
図２４（ｂ−１）は、操作者１０００により登録ボタン２４４０が押圧されたことで、スケジュール情報７００と対応付けてスケジュール情報管理部３７７に格納された開始制御情報２４５０の一例を示している。図２４（ｂ−１）に示すように、開始制御情報２４５０は、制御対象ごとに格納される。
【０２４７】
なお、図２４（ａ）の制御情報設定画面２４００では、開始制御情報の設定項目のうち、"切り替え順"のみを操作者１０００が設定できるように構成し、他の設定項目については、デフォルト値を用いるものとした。しかしながら、他の設定項目についても、操作者１０００が設定できるように構成してもよい。
【０２４８】
例えば、"切り替え順"において、「ワイプ（↑）」または「ワイプ（↓）」を設定した場合には、別途、制御間隔が設定できるように構成してもよい。また、制御情報設定画面２４００の説明では、フロア単位の切り替えについてのみ操作者１０００が設定できるように構成したが、別途、窓ガラス単位での切り替えが設定できるように構成してもよい。また、窓ガラス単位での切り替えが設定できるように構成した場合にあっては、更に、窓ガラス単位の制御間隔が設定できるように構成してもよい。
【０２４９】
図２４（ｂ−２）は、操作者１０００により登録ボタン２４４０が押圧されたことで、スケジュール情報７００と対応付けてスケジュール情報管理部３７７に格納された終了制御情報２４６０の一例を示している。図２４（ｂ−２）に示すように、終了制御情報２４６０は、制御対象ごとに格納される。なお、格納される項目は、開始制御情報２４５０と同様であるため、ここでは説明を省略する。
【０２５０】
（５）開始制御処理の概要
次に、同期部２１０３及び開始制御部２１０４により実行される開始制御処理（ステップＳ２２０３）の概要について、図２６を用いて説明する。上述したように、開始制御部２１０４は、スケジュール情報７００に対応付けられた開始制御情報２４５０と、各サイネージ装置の動作にかかる所要時間に関する情報とに基づいて指示タイミングを算出し、各サイネージ装置に対して動作の指示を送信する。
【０２５１】
図２６は、所要時間情報の一例及び投影開始時に各サイネージ装置に対して行う動作の指示の指示タイミングを示す図である。
【０２５２】
図２６（ａ）に示すように、所要時間情報２６００には、情報の項目として、"制御対象の動作"、"所要時間"が含まれる。
【０２５３】
"制御対象の動作"には、投影開始時の各制御対象の動作内容が格納される。"所要時間"には、投影開始時の各制御対象の動作にかかる所要時間が格納される。
【０２５４】
図２６（ａ）の例によれば、電飾装置１４０＿１〜１４０＿６が、電飾ＯＦＦ指示を受信してから、電飾装置１４０＿１〜１４０＿６が実際にＯＦＦ状態になるまでの所要時間は１０秒である。
【０２５５】
また、図２６（ａ）の例によれば、電動スクリーン３３０＿１〜３３０＿３０が、スクリーンＯＮ指示を受信してから、電動スクリーン３３０＿１〜３３０＿３０が実際にＯＮ状態になるまでの所要時間は１０秒である。
【０２５６】
また、図２６（ａ）の例によれば、プロジェクタ３１０＿１ａ〜３１０＿３０ｂが、ランプＯＮ指示を受信し電源をＯＮ状態にしてから、ランプのパワーが最大になるまでの所要時間は９０秒である。
【０２５７】
また、図２６（ａ）の例によれば、プロジェクタ３１０＿１ａ〜３１０＿３０ｂが、ランプＯＮ指示を受信してから、リトライ処理を完了するまでの所要時間は１２０秒である。
【０２５８】
更に、図２６（ａ）の例によれば、プロジェクタ３１０＿１ａ〜３１０＿３０ｂが、投影開始指示を受信してから、実際に投影用動画像が投影されるまでの所要時間は１０秒である。
【０２５９】
このため、開始制御部２１０４では、投影開始時に、図２６（ｂ）に示す指示タイミングで各制御対象に対して動作の指示を送信する。
【０２６０】
具体的には、グラフ２６１０に示すように、開始制御部２１０４は、プロジェクタ３１０＿１ａ〜３１０＿３０ｂに対して、投影開始時刻の２２０秒前に、ランプＯＮ指示を送信する。投影開始時刻において、プロジェクタ３１０＿１ａ〜３１０＿３０ｂ全てのランプのパワーが最大になるためには、
・プロジェクタ３１０＿１ａ〜３１０＿３０ｂが、ランプＯＮ指示を受信してから、ランプのパワーが最大になるまでの所要時間（９０秒）、
・プロジェクタ３１０＿１ａ〜３１０＿３０ｂが、ランプＯＮ指示を受信してから、リトライ処理を完了するまでの所要時間（１２０秒）、
に加え、ランプＯＮ指示の送信にかかる時間が必要だからである。なお、本実施形態では、ランプＯＮ指示の送信にかかる時間を１０秒としている。したがって、開始制御部２１０４では、ランプＯＮ指示を送信する指示タイミングを、投影開始時刻の２２０秒（＝９０＋１２０＋１０）前としている。
【０２６１】
なお、プロジェクタ３１０＿１ａ〜３１０＿３０ｂでは、ランプＯＮ指示を受信してから、投影開始指示を受信するまでの間、対応する窓ガラスに対して透明画像を投影する。一般に、プロジェクタでは、ランプＯＮ指示を受信してから投影開始指示を受信するまでの間、待機画像を投影するが、建物１１０の各窓ガラスに待機画像が投影されると、見栄えがよくないことから、本実施形態では、透明画像を投影する。
【０２６２】
また、グラフ２６２０に示すように、開始制御部２１０４は、プロジェクタ３１０＿１ａ〜３１０＿３０ｂに対して、投影開始時刻の３０秒前に、投影開始指示を送信する。本実施形態では、投影開始時刻の１０秒前において、プロジェクタ３１０＿１ａ〜３１０＿３０ｂ全てが投影用動画像の投影ができる状態になっていることを前提としており、そのためには、
・プロジェクタ３１０＿１ａ〜３１０＿３０ｂが、投影開始指示を受信してから、投影開始までにかかる所要時間（１０秒）
・投影開始指示の送信にかかる時間（１０秒）
が必要だからである。
【０２６３】
また、グラフ２６３０に示すように、開始制御部２１０４は、電飾装置１４０＿１〜１４０＿６に対して、投影開始時刻の２０秒前に、電飾ＯＦＦ指示を送信する。開始制御部２１０４では、電飾装置１４０＿１〜１４０＿６を全てＯＦＦ状態にしてから、電動スクリーン３３０＿１〜３３０＿３０をＯＮ状態にする。
【０２６４】
ここで、電動スクリーン３３０＿１〜３３０＿３０が投影開始時刻において全てＯＮ状態になっているためには、電動スクリーンがＯＮ状態になるまでにかかる所要時間（１０秒）を考慮する必要がある。
【０２６５】
そこで、開始制御部２１０４では、投影開始時刻の１０秒前にスクリーンＯＮ指示を送信する（グラフ２６４０参照）。そして、投影開始時刻の１０秒前において、電飾装置１４０＿１〜１４０＿６を全てＯＦＦ状態にするためには、電飾装置１４０＿１〜１４０＿６がＯＦＦ状態になるまでにかかる所要時間（１０秒）を考慮する必要がある。
【０２６６】
そこで、開始制御部２１０４では、投影開始時刻の２０秒前に、電飾装置１４０＿１〜１４０＿６に対して、電飾ＯＦＦ指示を送信する（グラフ２６３０参照）。
【０２６７】
なお、図２６（ｂ）において、例えば、グラフ２６３０、２６４０は、１の電飾装置及び１の電動スクリーンに対する指示タイミングを示している。このため、開始制御情報２４５０において"切り替え順"として、「一斉」が設定されている場合には、他の電飾装置及び他の電動スクリーンに対しても、それぞれ、グラフ２６３０、２６４０と同じタイミングで動作の指示が行われることになる。
【０２６８】
一方、開始制御情報２４５０において"切り替え順"として、例えば、「ワイプ（↑）」が設定されている場合には、他の電飾装置に対しては、グラフ２６３０から、所定の制御間隔だけ遅れたタイミングで動作の指示が行われることになる。また、他の電動スクリーンに対しては、グラフ２６４０から、所定の制御間隔だけ遅れたタイミングで動作の指示が行われることになる。
【０２６９】
（６）開始制御処理の流れ
次に、同期部２１０３及び開始制御部２１０４による開始制御処理（ステップＳ２２０２）の流れについて説明する。図２７は、開始制御処理の流れを示すフローチャートである。
【０２７０】
ステップＳ２７０１において、開始制御部２１０４は、スケジュール情報管理部３７７に格納されたスケジュール情報７００を読み出す。また、開始制御部２１０４は、読み出したスケジュール情報７００に基づいて、投影開始時刻を識別する。
【０２７１】
ステップＳ２７０２において、開始制御部２１０４は、スケジュール情報７００に対応付けられた開始制御情報２４５０を読み出す。また、開始制御部２１０４は、読み出した開始制御情報２４５０に基づいて、各制御対象の切り替え順、制御間隔を識別する。
【０２７２】
ステップＳ２７０３において、開始制御部２１０４は、投影開始時刻と、制御対象＝"プロジェクタ"の切り替え順、制御間隔とに基づいて、プロジェクタ３１０＿１ａ〜３１０＿３０ｂそれぞれに対するランプＯＮ指示の指示タイミングを算出する。なお、指示タイミングの算出にあたっては、所要時間情報２６００を考慮し、投影開始時刻において、プロジェクタ３１０＿１ａ〜３１０＿３０ｂのランプのパワーが最大になるようにする。
【０２７３】
ステップＳ２７０４において、開始制御部２１０４は、プロジェクタ３１０＿１ａ〜３１０＿３０ｂに対するランプＯＮ指示の指示タイミングに到達したか否かを判定する。ステップＳ２７０４においてランプＯＮ指示の指示タイミングに到達していないと判定した場合には（ステップＳ２７０４においてＮｏの場合には）、到達したと判定するまで待機する。
【０２７４】
一方、ステップＳ２７０４においてランプＯＮ指示の指示タイミングに到達したと判定した場合には（ステップＳ２７０４においてＹｅｓの場合には）、ステップＳ２７０５に進む。
【０２７５】
ステップＳ２７０５において、開始制御部２１０４は、プロジェクタ３１０＿１ａ〜３１０＿３０ｂに対してランプＯＮ指示を送信する。
【０２７６】
ステップＳ２７０６において、同期部２１０３は、時刻サーバ３６０より時刻情報を受信し、情報処理装置３７０内部で管理している時刻情報を修正するとともに、プロジェクタ３１０＿１ａ〜３１０＿３０ｂに対して、修正した時刻情報を送信する。
【０２７７】
ステップＳ２７０７において、開始制御部２１０４は、プロジェクタ３１０＿１ａ〜３１０＿３０ｂに対して、スケジュール情報７００に含まれる投影用動画像リストを送信する。
【０２７８】
ステップＳ２７０８において、開始制御部２１０４は、投影開始時刻と、制御対象＝"投影"の切り替え順、制御間隔とに基づいて、プロジェクタ３１０＿１ａ〜３１０＿３０ｂそれぞれに対する投影開始指示の指示タイミングを算出する。なお、指示タイミングの算出にあたっては、所要時間情報２６００を考慮し、投影開始時刻において、プロジェクタ３１０＿１ａ〜３１０＿３０ｂによる投影用動画像の投影ができる状態になるようにする。
【０２７９】
ステップＳ２７０９において、開始制御部２１０４は、プロジェクタ３１０＿１ａ〜３１０＿３０ｂに対する投影開始指示の指示タイミングに到達したか否かを判定する。ステップＳ２７０９において投影開始指示の指示タイミングに到達していないと判定した場合には（ステップＳ２７０９においてＮｏの場合には）、到達したと判定するまで待機する。
【０２８０】
一方、ステップＳ２７０９において投影開始指示の指示タイミングに到達したと判定した場合には（ステップＳ２７０９においてＹｅｓの場合には）、ステップＳ２７１０に進む。
【０２８１】
ステップＳ２７１０において、開始制御部２１０４は、プロジェクタ３１０＿１ａ〜３１０＿３０ｂに対して、投影開始指示を送信する。
【０２８２】
ステップＳ２７１１において、開始制御部２１０４は、投影開始時刻と、制御対象＝"電飾"の切り替え順、制御間隔とに基づいて、電飾装置１４０＿１〜１４０＿６それぞれに対する電飾ＯＦＦ指示の指示タイミングを算出する。なお、指示タイミングの算出にあたっては、所要時間情報２６００を考慮し、投影開始時刻の１０秒前において、電飾装置１４０＿１〜１４０＿６全てがＯＦＦ状態になるようにする。
【０２８３】
ステップＳ２７１２において、開始制御部２１０４は、電飾装置１４０＿１〜１４０＿６に対する電飾ＯＦＦ指示の指示タイミングに到達したか否かを判定する。ステップＳ２７１２において到達していないと判定した場合には（ステップＳ２７１２においてＮｏの場合には）、到達したと判定するまで待機する。
【０２８４】
一方、ステップＳ２７１２において到達したと判定した場合には（ステップＳ２７１２においてＹｅｓの場合には）、ステップＳ２７１３に進む。ステップＳ２７１３において、開始制御部２１０４は、電飾装置１４０＿１〜１４０＿６に対して、電飾ＯＦＦ指示を送信する。
【０２８５】
ステップＳ２７１４において、開始制御部２１０４は、投影開始時刻と、制御対象＝"スクリーン"の切り替え順、制御間隔とに基づいて、電動スクリーン３３０＿１〜３３０＿３０それぞれに対するスクリーンＯＮ指示の指示タイミングを算出する。なお、指示タイミングの算出にあたっては、所要時間情報２６００を考慮し、投影開始時刻において、電動スクリーン３３０＿１〜３３０＿３０全てがＯＮ状態になるようにする。
【０２８６】
ステップＳ２７１５において、開始制御部２１０４は、電動スクリーン３３０＿１〜３３０＿３０それぞれに対するスクリーンＯＮ指示の指示タイミングに到達したか否かを判定する。ステップＳ２７１５において、スクリーンＯＮ指示の指示タイミングに到達していないと判定した場合には（ステップＳ２７１５においてＮｏの場合には）、到達したと判定するまで待機する。
【０２８７】
一方、ステップＳ２７１５において到達したと判定した場合には（ステップＳ２７１５においてＹｅｓの場合には）、ステップＳ２７１６に進む。ステップＳ２７１６において、開始制御部２１０４は、電動スクリーン３３０＿１〜３３０＿３０に対して、スクリーンＯＮ指示を送信する。以上により、開始制御部２１０４による開始制御処理が終了する。
【０２８８】
（７）終了制御処理の概要その１
次に、終了制御部２１０５により実行される終了制御処理（ステップＳ２２０４）の概要について、図２８を用いて説明する。上述したように、終了制御部２１０５は、スケジュール情報７００に対応付けられた終了制御情報２４６０と、各サイネージ装置の動作にかかる所要時間に関する情報とに基づいて算出される指示タイミングで、各サイネージ装置に対して動作の指示を送信する。なお、ここでは、スケジュール内容として、ループ再生＝"する"が選択され、投影終了時刻に到達するまで、投影用動画像の投影が繰り返し行われているものとして説明する。
【０２８９】
図２８は、所要時間情報の一例及び投影終了時に各サイネージ装置に対して行う動作の指示の指示タイミングを示す図である。
【０２９０】
図２８（ａ）に示すように、所要時間情報２８００には、情報の項目として、"制御対象の動作"、"所要時間"が含まれる。
【０２９１】
"制御対象の動作"には、投影終了時の各制御対象の動作内容が格納される。"所要時間"には、投影終了時の各制御対象の動作にかかる所要時間が格納される。
【０２９２】
図２８（ａ）の例によれば、電飾装置１４０＿１〜１４０＿６が、電飾ＯＮ指示を受信してから、電飾装置１４０＿１〜１４０＿６が実際にＯＮ状態になるまでの所要時間は１０秒である。
【０２９３】
また、図２８（ａ）の例によれば、電動スクリーン３３０＿１〜３３０＿３０が、スクリーンＯＦＦ指示を受信してから、電動スクリーン３３０＿１〜３３０＿３０が実際にＯＦＦ状態になるまでの所要時間は１０秒である。
【０２９４】
このため、終了制御部２１０５では、投影終了時に、図２８（ｂ）に示す指示タイミングで各制御対象に対して動作の指示を送信する。
【０２９５】
具体的には、グラフ２８１０に示すように、終了制御部２１０５は、プロジェクタ３１０＿１ａ〜３１０＿３０ｂに対して、投影終了時刻の１０秒前に、投影終了指示を送信する。投影終了時刻において、投影用動画像の投影が終了しているためには、投影終了時刻において、投影終了指示を受信している必要があるからである。なお、上述したとおり、投影終了指示の送信にかかる時間は１０秒である。
【０２９６】
また、グラフ２８２０に示すように、終了制御部２１０５は、投影終了時刻に、スクリーンＯＦＦ指示を送信する。
【０２９７】
また、グラフ２８３０に示すように、終了制御部２１０５は、投影終了時刻の１０秒後に、電飾装置１４０＿１〜１４０＿６に対して、電飾ＯＮ指示を送信する。電動スクリーン３３０＿１〜３３０＿３０がＯＦＦ状態になってから電飾装置１４０＿１〜１４０＿６をＯＮ状態にするためには、電動スクリーン３３０＿１〜３３０＿３０がＯＦＦ状態になるまでの所要時間（１０秒）を考慮する必要があるからである。
【０２９８】
また、グラフ２８４０に示すように、終了制御部２１０５は、投影終了時刻の２０秒後に、プロジェクタ３１０＿１ａ〜３１０＿３０ｂに対して、ランプＯＦＦ指示を送信する。電飾装置１４０＿１〜１４０＿６がＯＮ状態になってから、プロジェクタ３１０＿１ａ〜３１０＿３０ｂのランプをＯＦＦ状態にするためには、電飾装置１４０＿１〜１４０＿６がＯＮ状態になるまでの所要時間（１０秒）を考慮する必要があるからである。
【０２９９】
なお、図２８（ｂ）において、例えば、グラフ２８２０、２８３０は、１の電動スクリーン及び１の電飾装置に対する指示タイミングを示している。このため、終了制御情報２４６０において"切り替え順"として、「一斉」が設定されている場合には、他の電動スクリーン及び他の電飾装置に対しても、それぞれ、グラフ２８２０、２８３０と同じタイミングで動作の指示が行われる。
【０３００】
一方、終了制御情報２４６０において"切り替え順"として、例えば、「ワイプ（↑）」が設定されている場合には、他の電動スクリーンに対しては、グラフ２８２０から、所定の制御間隔だけ遅れたタイミングで動作の指示が行われることになる。また、他の電飾装置に対しては、グラフ２８３０から、所定の制御間隔だけ遅れたタイミングで動作の指示が行われることになる。
【０３０１】
（８）終了制御処理の流れ
次に、終了制御部２１０５による終了制御処理（ステップＳ２２０３）の流れについて説明する。図２９は、終了制御処理の流れを示すフローチャートである。
【０３０２】
ステップＳ２９０１において、終了制御部２１０５は、スケジュール情報管理部３７７に格納されたスケジュール情報７００を読み出す。また、終了制御部２１０５は、読み出したスケジュール情報７００に基づいて、投影終了時刻を識別する。
【０３０３】
ステップＳ２９０２において、終了制御部２１０５は、スケジュール情報７００に対応付けられた終了制御情報２４６０を読み出す。また、終了制御部２１０５は、読み出した終了制御情報２４６０に基づいて、各制御対象の切り替え順、制御間隔を識別する。
【０３０４】
ステップＳ２９０３において、終了制御部２１０５は、投影終了時刻と、制御対象＝"投影"の切り替え順、制御間隔とに基づいて、プロジェクタ３１０＿１ａ〜３１０＿３０ｂそれぞれに対する投影終了指示の指示タイミングを算出する。なお、指示タイミングの算出にあたっては、所要時間情報２６００を考慮し、投影終了時刻において、プロジェクタ３１０＿１ａ〜３１０＿３０ｂによる投影が完了した状態になるようにする。
【０３０５】
ステップＳ２９０４において、終了制御部２１０５は、投影終了指示の指示タイミングに到達したか否かを判定する。ステップＳ２９０４において投影終了指示の指示タイミングに到達していないと判定した場合には（ステップＳ２９０４においてＮｏの場合には）、到達した判定するまで待機する。
【０３０６】
一方、ステップＳ２９０４において投影終了指示の指示タイミングに到達したと判定した場合には（ステップＳ２９０４においてＹｅｓの場合には）、ステップＳ２９０５に進む。
【０３０７】
ステップＳ２９０５において、終了制御部２１０５は、プロジェクタ３１０＿１ａ〜３１０＿３０ｂに対して、投影終了指示を送信する。
【０３０８】
ステップＳ２９０６において、終了制御部２１０５は、投影終了時刻に到達したか否かを判定する。ステップＳ２９０６において投影終了時刻に到達していないと判定した場合には（ステップＳ２９０６においてＮｏの場合には）、投影終了時刻に到達したと判定するまで待機する。
【０３０９】
一方、ステップＳ２９０６において投影終了時刻に到達したと判定した場合には（ステップＳ２９０６においてＹｅｓの場合には）、ステップＳ２９０７に進む。ステップＳ２９０７において、終了制御部２１０５は、電動スクリーン３３０＿１〜３３０＿３０に対して、スクリーンＯＦＦ指示を送信する。
【０３１０】
ステップＳ２９０８において、終了制御部２１０５は、投影開始時刻と、制御対象＝"電飾"の切り替え順、制御間隔とに基づいて、電飾装置１４０＿１〜１４０＿６それぞれに対する電飾ＯＮ指示の指示タイミングを算出する。なお、指示タイミングの算出にあたっては、所要時間情報２６００を考慮し、電動スクリーン３３０＿１〜３３０＿３０全てがＯＦＦ状態になってから、電飾装置１４０＿１〜１４０＿６がＯＮ状態になるようにする。
【０３１１】
ステップＳ２９０９において、終了制御部２１０５は、電飾装置１４０＿１〜１４０＿６に対する電飾ＯＮ指示の指示タイミングに到達したか否かを判定する。ステップＳ２９０９において到達していないと判定した場合には（ステップＳ２９０９においてＮｏの場合には）、到達したと判定するまで待機する。
【０３１２】
一方、ステップＳ２９０９において到達したと判定した場合には（ステップＳ２９０９においてＹｅｓの場合には）、ステップＳ２９１０に進む。ステップＳ２９１０において、終了制御部２１０５は、電飾装置１４０＿１〜１４０＿６に対して、電飾ＯＮ指示を送信する。
【０３１３】
ステップＳ２９１１において、終了制御部２１０５は、投影開始時刻と、制御対象＝"プロジェクタ"の切り替え順、制御間隔とに基づいて、プロジェクタ３１０＿１ａ〜３１０＿３０ｂそれぞれに対するランプＯＦＦ指示の指示タイミングを算出する。なお、指示タイミングの算出にあたっては、所要時間情報２６００を考慮し、電飾装置１４０＿１〜１４０＿６全てがＯＮ状態になってから、プロジェクタ３１０＿１ａ〜３１０＿３０ｂのランプがＯＦＦ状態になるようにする。
【０３１４】
ステップＳ２９１２において、終了制御部２１０５は、プロジェクタ３１０＿１ａ〜３１０＿３０ｂに対するランプＯＦＦ指示の指示タイミングに到達したか否かを判定する。ステップＳ２９１２においてランプＯＦＦ指示の指示タイミングに到達していないと判定した場合には（ステップＳ２９１２においてＮｏの場合には）、到達したと判定するまで待機する。
【０３１５】
一方、ステップＳ２９１２においてランプＯＦＦ指示の指示タイミングに到達したと判定した場合には（ステップＳ２９１２においてＹｅｓの場合には）、ステップＳ２９１３に進む。
【０３１６】
ステップＳ２９１３において、終了制御部２１０５は、プロジェクタ３１０＿１ａ〜３１０＿３０ｂに対して、ランプＯＦＦ指示を送信する。以上により、サイネージ制御部３７３による終了制御処理が終了する。
【０３１７】
（９）終了制御処理の概要その２
次に、終了制御部２１０５により実行される他の終了制御処理（ステップＳ２２０４）の概要について、図３０を用いて説明する。ここでは、スケジュール内容として、ループ再生＝"しない"が選択され、投影終了時刻に到達する前に、投影用動画像の投影が終了する場合について説明する。
【０３１８】
図３０は、所要時間情報の一例及び投影終了時に各サイネージ装置に対して行う動作の指示の指示タイミングを示す他の図である。このうち、図３０（ａ）は、図２８（ａ）に示した所要時間情報２８００と同じであるため、ここでは説明を省略する。
【０３１９】
図３０（ｂ）のグラフ３０１０に示すように、スケジュール情報７００の投影用動画像リストに含まれる各投影用動画像について１回ずつ投影が行われると、投影終了時刻に到達したか否かに関わらず、投影用動画像の投影が終了する。
【０３２０】
投影用動画像の投影が終了すると（グラフ３０１０参照）、終了制御部２１０５は、電動スクリーン３３０＿１〜３３０＿３０に対して、スクリーンＯＦＦ指示を送信する（グラフ３０２０参照）。スクリーンＯＦＦ指示を送信してから、電動スクリーン３３０＿１〜３３０＿３０がＯＦＦ状態になるまでの所要時間は１０秒である。このため、終了制御部２１０５では、スクリーンＯＦＦ指示を送信した後、１０秒経過してから電飾装置１４０＿１〜１４０＿６に対して電飾ＯＮ指示を送信する（グラフ３０３０参照）。
【０３２１】
また、電飾ＯＮ指示を送信してから、電飾装置１４０＿１〜１４０＿６がＯＮ状態になるまでの所要時間は１０秒である。このため、終了制御部２１０５では、電飾ＯＮ指示を送信した後、１０秒経過してから、プロジェクタ３１０＿１ａ〜３１０＿３０ｂに対して、ランプＯＦＦ指示を送信する（グラフ３０４０参照）。
【０３２２】
＜１１．まとめ＞
以上の説明から明らかなように、本実施形態に係る画像投影システム３００では、
・広告主より提供される動画像を反転処理する。また、建物の外面の所定領域に含まれる複数の窓ガラスの位置及び大きさに基づいて、該反転処理した動画像より抽出される各フレームの静止画像を分割し、それぞれの静止画像から複数の分割静止画像を生成する。
・同じ窓ガラスに対応する各フレームの分割静止画像を用いて、窓ガラス数分の分割静止画像群を生成し、画像情報管理部に格納する。
・建物の外面の所定領域に含まれる複数の窓ガラスそれぞれに対応する位置に配置されたプロジェクタについて校正処理を行い、校正処理の結果に基づいて生成した補正パラメータを用いて、分割静止画像群を補正する。
・補正した分割静止画像群を、更に、１つの窓ガラスに対応する位置に配置されたプロジェクタの数に応じて分割し、エンコード処理することで、プロジェクタ単位の投影用動画像群を生成する。
・生成した投影用動画像群の各投影用動画像を、対応するプロジェクタを介して、複数の窓ガラスそれぞれに対応する電動スクリーンに投影する。
【０３２３】
これにより、複数の光透過面を組み合わせたデジタルサイネージを実現することが可能になる。
【０３２４】
また、本実施形態に係る画像投影システム３００では、
・複数の窓ガラスそれぞれに対応する位置に配置された電動スクリーン及び電飾装置の動作を、投影開始時刻に基づいて制御する。
・複数の窓ガラスそれぞれに対応する位置に配置された電動スクリーン及び電飾装置の動作を、投影終了時刻に基づいて制御する。
【０３２５】
これにより、複数の光透過面を組み合わせたデジタルサイネージにおいて、投影装置と他の装置との連動によりサイネージの視覚効果を向上させることができる。
【０３２６】
［その他の実施形態］
上記第１の実施形態では、投影開始時に、ランプＯＮ指示、投影開始指示、電飾ＯＦＦ指示、スクリーンＯＮ指示の順に、制御対象に対して動作の指示を送信する構成としたが、制御対象に対して動作の指示を送信する順序は、これに限定されない。投影開始時に、より視覚効果の高い順序で、指示を送信するように構成してもよい。
【０３２７】
同様に、上記第１の実施形態では、投影終了時に、投影終了指示、スクリーンＯＦＦ指示、電飾ＯＮ指示、ランプＯＦＦ指示の順に、制御対象に対して動作の指示を送信する構成としたが、制御対象に対して動作の指示を送信する順序は、これに限定されない。投影終了時に、より視覚効果の高い順序で、指示を送信するように構成してもよい。
【０３２８】
また、上記第１の実施形態では、制御対象に対して動作の指示を送信するタイミングの一例を示したが、開始制御部２１０４または終了制御部２１０５が動作の指示を送信するタイミングは、これに限定されない。より視覚効果を高めるタイミングであれば、任意のタイミングで行うことができる。
【０３２９】
また、上記第１の実施形態では、制御対象の切り替え順として、フロア単位の場合には上下方向を設定し、窓単位の場合には、左右方向を設定できる構成とした。しかしながら、切り替え方向はこれに限定されず、任意の方向を設定できる構成としてもよい。
【０３３０】
また、上記第１の実施形態では、スケジュール情報７００に投影開始時刻と投影終了時刻の組を１組のみ登録する場合について例示したが、投影開始時刻と投影終了時刻の組は、複数組登録することが可能であるとする。この場合、それぞれの投影開始時及び投影終了時において、上記第１の実施形態で説明した開始制御処理及び終了制御処理が実行されるものとする。
【０３３１】
また、上記第１の実施形態では、情報処理装置３７０が、校正部３７１、画像処理部３７２、サイネージ制御部３７３を有するものとして説明したが、これらの機能の一部は、他のサイネージ装置において実現してもよい。
【０３３２】
また、上記第１の実施形態では、建物１１０の外面の所定領域に取り付けられた窓ガラスを投影対象として説明したが、投影対象は、窓ガラスに限定されず、他の光透過面であってもよい。また、光透過面は、建物１１０の外面の所定領域に取り付けられたものに限定されず、建物１１０内部の所定領域に取り付けられた光透過面であってもよいし、また、建物以外の物に取り付けられた光透過面であってもよい。
【０３３３】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０３３４】
１１０                            ：建物
１２０                            ：窓ガラス群
１３０                            ：投影用動画像群
３１０＿１ａ〜３１０＿３０ｂ      ：プロジェクタ
３２０＿１ａ〜３２０＿３０ｂ      ：外部メモリ
３３０＿１〜３３０＿３０          ：電動スクリーン
３４０                            ：制御装置
３６０                            ：時刻サーバ
３７０                            ：情報処理装置
３７１                            ：校正部
３７２                            ：画像処理部
３７３                            ：サイネージ制御部
３７５                            ：サイネージ対象情報管理部
３７６                            ：画像情報管理部
３７７                            ：スケジュール情報管理部
５００                            ：サイネージ対象情報
５１０                            ：所定領域
６００                            ：画像情報
７００                            ：スケジュール情報
２１０１                          ：スケジュール登録部
２１０２                          ：制御情報設定部
２１０３                          ：同期部
２１０４                          ：開始制御部
２１０５                          ：終了制御部
２３００                          ：スケジュール登録画面
２４００                          ：制御情報設定画面
２４５０                          ：開始制御情報
２４６０                          ：終了制御情報
２６００、２８００                ：所要時間情報
【先行技術文献】
【特許文献】
【０３３５】
【特許文献１】特開２０１５−２６９９２号公報
【特許文献２】特開２０１６−８５４３５号公報
【図１】
2018036479.tif 000003
【図２】
2018036479.tif 000004
【図３】
2018036479.tif 000005
【図４】
2018036479.tif 000006
【図５】
2018036479.tif 000007
【図６】
2018036479.tif 000008
【図７】
2018036479.tif 000009
【図８】
2018036479.tif 000010
【図９】
2018036479.tif 000011
【図１０】
2018036479.tif 000012
【図１１】
2018036479.tif 000013
【図１２】
2018036479.tif 000014
【図１３】
2018036479.tif 000015
【図１４】
2018036479.tif 000016
【図１５】
2018036479.tif 000017
【図１６】
2018036479.tif 000018
【図１７】
2018036479.tif 000019
【図１８】
2018036479.tif 000020
【図１９】
2018036479.tif 000021
【図２０】
2018036479.tif 000022
【図２１】
2018036479.tif 000023
【図２２】
2018036479.tif 000024
【図２３】
2018036479.tif 000025
【図２４】
2018036479.tif 000026
【図２５】
2018036479.tif 000027
【図２６】
2018036479.tif 000028
【図２７】
2018036479.tif 000029
【図２８】
2018036479.tif 000030
【図２９】
2018036479.tif 000031
【図３０】
2018036479.tif 000032